(57)【要約】本発明は、レギュレータ回路及びその使用法に関するものである。このレギュレータ回路は、少なくとも２つの入力端子、少なくとも２つのリアクタンスを有する１つまたはいくつかのリアクタンス群、少なくとも２つの出力端子、前記リアクタンスを互いに接続するのに適し、かつ前記リアクタンスの少なくとも１つを前記入力及び出力端子に接続するのに適した複数の相互接続を具えている。これらの相互接続は、前記リアクタンスの直列接続を並列接続に切り換えることを可能にするミニチュアリレーで構成される。前記回路は追加的に、電圧監視手段、電源モジュール、入力及び出力保護手段、基準信号モジュール、制御モジュール、等を具えることができる。前記レギュレータ回路は多数の用途、例えばチャージポンプ、電源、ＤＣ／ＤＣコンバータ、ＡＣ／ＤＣコンバータ、Ｄ／Ａ変換器、Ａ／Ｄ変換器、電力増幅器、等を有する。
2007538483.tif 000002
【特許請求の範囲】
【請求項１】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路であって、前記相互接続はミニチュアリレーで構成され、前記ミニチュアリレーは、前記リアクタンスの直列接続を並列接続に切り換えること、及びその逆を可能にするレギュレータ回路において、
前記レギュレータ回路がＡ／Ｄ変換器を具え、該Ａ／Ｄ変換器の信号入力端子は前記出力端子に接続され、前記Ａ／Ｄ変換器はセグメント化された変換器で構成され、前記セグメント化された変換器は、[a]Ｇ個のインピーダンスを有する第１分圧器と、前記出力端子と前記分圧器との間に接続されたＧ個の比較器装置と、[ｂ]第２のＡ／Ｄ変換器とを具え、前記比較器装置の各々が、Ｇ個のインピーダンスを有する第２分圧器と比較器とを具えていることを特徴とするレギュレータ回路。
【請求項２】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路であって、前記相互接続はミニチュアリレーで構成され、前記ミニチュアリレーは、前記リアクタンスの直列接続を並列接続に切り換えること、及びその逆を可能にするレギュレータ回路において、
前記レギュレータ回路がＤ／Ａ変換器を具え、該Ｄ／Ａ変換器の信号出力端子は前記入力端子に接続され、前記リアクタンスは独立して電源電圧（Ｖcc）、接地（ＧＮＤ）、または前記信号出力端子に接続可能であることを特徴とするレギュレータ回路。
【請求項３】
前記レギュレータ回路がＤ／Ａ変換器を具え、該Ｄ／Ａ変換器の信号出力端子は前記入力端子に接続され、前記リアクタンスは独立して電源電圧（Ｖcc）、接地（ＧＮＤ）、または前記信号出力端子に接続可能であることを特徴とする請求項１に記載の回路。
【請求項４】
少なくとも２つのリアクタンスを有する少なくとも第２のリアクタンス群と、前記第２のリアクタンス群の前記リアクタンスを互いに接続するのに適し、かつ前記第２リアクタンス群の前記リアクタンスの少なくとも１つを前記入力端子及び前記出力端子に接続するのに適した複数の相互接続とを具え、前記相互接続はミニチュアリレーで構成され、前記ミニチュアリレーは、前記第２のリアクタンス群の前記リアクタンスの直列接続を並列接続に切り換えること、及びその逆を可能にすることを特徴とする請求項１〜３のいずれかに記載の回路。
【請求項５】
前記リアクタンスがコイルであることを特徴とする請求項１〜４のいずれかに記載の回路。
【請求項６】
前記リアクタンスがコンデンサであることを特徴とする請求項１〜４のいずれかに記載の回路。
【請求項７】
集積回路内に集積されていることを特徴とする請求項１〜６のいずれかに記載の回路。
【請求項８】
前記コンデンサの少なくとも１つの電圧監視手段であって、前記コンデンサの時間的な電圧変化を検出するのに適した電圧監視手段と、前記コンデンサの電圧が所定値に達すると前記コンデンサを前記入力端子から切り離すのに適した制御手段とを具えていることを特徴とする請求項６または７に記載の回路。
【請求項９】
前記レギュレータ回路内に含まれるディジタル回路に給電するために必要な電圧を発生するディジタル電源モジュールを有し、該電源モジュールは、通常オン状態の安全リレーである第１リレーをその第１電力入力端子に有する第１電源と、通常オフ状態の安全リレーである第２リレーをその給電入力端子に有する第２電源とを具え、前記第２リレーは、前記第１電源が発生する電圧によって閉じることを特徴とする請求項１〜８のいずれかに記載の回路。
【請求項１０】
前記第２電源が、少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路を具え、前記相互接続はミニチュアリレーで構成され、前記ミニチュアリレーは、前記リアクタンスの直列接続を並列接続に切り換えること、及びその逆を可能にすることを特徴とする請求項９に記載の回路。
【請求項１１】
前記レギュレータ回路がオフ状態になった際に前記リアクタンスにもたらされる過負荷を回避する通常オフ状態のリレーを具えた入力保護モジュールを有することを特徴とする請求項１〜１０のいずれかに記載の回路。
【請求項１２】
前記入力端子に接続される入力信号を整流する整流モジュールを具えていることを特徴とする請求項１〜１１のいずれかに記載の回路。
【請求項１３】
前記整流モジュールが、前記入力端子の極性を、前記入力端子に接続される交番信号に応じて動的に反転させるのに適したミニチュアリレーを具えていることを特徴とする請求項１２に記載の回路。
【請求項１４】
前記入力端子における信号を前記出力端子における信号と比較して、制御信号を信号調整モジュールに送信する基準信号モジュールを具えていることを特徴とする請求項１〜１３のいずれかに記載の回路。
【請求項１５】
出力コンデンサを有する出力フィルタを具えた出力モジュールを有することを特徴とする請求項１〜１４のいずれかに記載の回路。
【請求項１６】
通常オフ状態の安全リレーを有する出力保護モジュールを具えて、出力における過負荷の場合に前記安全リレーが開放されて、前記レギュレータ回路を前記出力端子から切り離すことを特徴とする請求項１〜１５のいずれかに記載の回路。
【請求項１７】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えた第２レギュレータ回路を具え、前記相互接続はミニチュアリレーで構成され、前記ミニチュアリレーは、前記リアクタンスの直列接続を並列接続に切り換えること、及びその逆を可能にし、前記第２レギュレータ回路は前記レギュレータ回路の前記出力端子に接続されていることを特徴とする請求項２〜１５のいずれかに記載の回路。
【請求項１８】
出力バッファを具えていることを特徴とする請求項２〜１７のいずれかに記載の回路。
【請求項１９】
トラック・アンド・ホールド増幅器を具えていることを特徴とする請求項２〜１８のいずれかに記載の回路。
【請求項２０】
前記ミニチュアリレーが：
第２ゾーンに対面する第１ゾーンと；
第１コンデンサ板（３）と；
前記第２ゾーン内に配置され、前記第１コンデンサ板より小さいか前記第１コンデンサ板と等しい第２コンデンサ板（９）と；
前記第１ゾーンと前記第２ゾーンとの間に設けられた中間的空間（２５）と；
前記中間的空間（２５）内に配置され、前記第１ゾーン及び前記第２ゾーンから機械的に独立し、前記第１及び第２コンデンサ板に存在する電圧に応じて前記中間的空間（２５）を横切る移動を実行するのに適した導電素子（７）と；
電気回路の第１接点（１５）と、前記電気回路の第２接点（１７）とを具え、前記第１及び前記第２接点は第１止め具（１３）を規定し、前記導電素子（７）は前記第１止め具（１３）と接触するのに適し、前記導電素子（７）は、前記第１止め具（１３）と接触している際に前記電気回路を閉路する
ことを特徴とする請求項１〜１９のいずれかに記載の回路。
【請求項２１】
前記第１接点（１５）が、前記第２ゾーンと前記導電素子（７）との間にあることを特徴とする請求項２０に記載の回路。
【請求項２２】
前記第１コンデンサ板が前記第２ゾーン内にあることを特徴とする請求項２０または２１に記載の回路。
【請求項２３】
前記第１コンデンサ板が前記第１ゾーン内にあることを特徴とする請求項２０または２１に記載の回路。
【請求項２４】
前記第２接点（１７）が前記第２ゾーン内にあることを特徴とする請求項２０〜２３のいずれかに記載の回路。
【請求項２５】
前記第２ゾーン内に配置された第３コンデンサ板（１１）を追加的に具え、前記第３コンデンサ板（１１）は前記第１コンデンサ板（３）より小さいか前記第１コンデンサ板と等しく、前記第２コンデンサ板と前記第３コンデンサ板とを合わせた大きさが前記第１コンデンサ板より大きいことを特徴とする請求項２３または２４に記載の回路。
【請求項２６】
前記第２ゾーン内に配置された第３コンデンサ板（１１）及び前記第１ゾーン内に配置された第４コンデンサ板（５）を追加的に具え、前記第１コンデンサ板（３）と前記第２コンデンサ板（９）とが互いに等しく、前記第３コンデンサ板（１１）と前記第４コンデンサ板（５）とが互いに等しいことを特徴とする請求項２３または２４に記載の回路。
【請求項２７】
前記第１、第２、第３及び第４コンデンサ板がすべて互いに等しいことを特徴とする請求項２６に記載の回路。
【請求項２８】
前記第１ゾーン内に配置された第５コンデンサ板（３５）及び前記第２ゾーン内に配置された第６コンデンサ板（３７）を追加的に具え、前記第５コンデンサ板（３５）と前記第６コンデンサ板（３７）とが互いに等しいことを特徴とする請求項２６または２７に記載の回路。
【請求項２９】
前記第１ゾーン内に配置された６枚のコンデンサ板と、前記第２ゾーン内に配置された６枚のコンデンサ板とを具えていることを特徴とする請求項２８に記載の回路。
【請求項３０】
前記第１ゾーンと前記導電素子（７）との間に第２止め具を具えていることを特徴とする請求項２０〜２９のいずれかに記載の回路。
【請求項３１】
前記第１ゾーンと前記導電素子（７）との間に配置された第３接点（２１）を具え、前記第３接点（２１）は第２止め具を規定して、前記導電素子（７）が、前記第２接点（１７）及び前記第３接点（２１）に接触している際に第２電気回路を閉路することを特徴とする請求項２０〜３０のいずれかに記載の回路。
【請求項３２】
前記導電素子（７）が、軸線を規定しラジアル方向に中空の円筒部分（３１）と、前記ラジアル方向に中空の円筒部分（３１）の１つの側部から突出し、かつ前記軸線方向に延びる平坦部分（３３）とを具え、前記円筒部分の内部に前記第２接点（１７）が収容され、前記平坦部分（３３）の前記軸線方向に測った高さが、前記円筒部分（３１）の前記軸線方向に測った高さ未満であることを特徴とする請求項３１に記載の回路。
【請求項３３】
前記導電素子（７）が、軸線を規定する中空の平行六面体部分と、前記中空の平行六面体部分の１つの側部から突出し、かつ前記軸線方向に延びる平坦部分（３３）とを具え、前記平行六面体部分の内部に前記第２接点（１７）が収容され、前記平坦部分（３３）の前記軸線方向に測った高さが、前記平行六面体部分の前記軸線方向に測った高さ未満であることを特徴とする請求項３１に記載の回路。
【請求項３４】
前記第１ゾーンと前記導電素子（７）との間に配置された第３接点（２１）及び第４接点（２３）を具え、前記第３接点（２１）及び前記第４接点（２３）が第２止め具（１９）を規定して、前記導電素子（７）が、前記第３接点（２１）及び前記第４接点（２３）と接触している際に第２電気回路を閉路することを特徴とする請求項２０〜２９のいずれかに記載の回路。
【請求項３５】
前記第１ゾーン内及び前記第２ゾーン内の各々に配置された前記コンデンサ板の組立体の各々が、対称の中心について点対称性を有し、前記対称の中心は前記導電素子（７）の質量の中心に重なることを特徴とする請求項２０〜３４のいずれかに記載の回路。
【請求項３６】
前記第１ゾーン内及び前記第２ゾーン内の各々に配置された前記コンデンサ板の組立体が点対称性を有さず、これにより、前記導電素子（７）の質量の中心に対する力のモーメントを発生することを特徴とする請求項２０〜３４のいずれかに記載の回路。
【請求項３７】
前記第１ゾーンと前記第２ゾーンとの間に２つの横壁（２９）が延在し、前記横壁（２９）と前記導電素子（７）との間に遊びが存在し、前記遊びは、前記導電素子（７）が、前記第１及び第２接点（１５、１７）によって形成される接点群と前記第３及び第４接点（２１、２３）によって形成される接点群とに同時に接触することが幾何学的に防止される程度に十分小さいことを特徴とする請求項３４〜３６のいずれかに記載の回路。
【請求項３８】
前記導電素子（７）が曲面の外表面を有することを特徴とする請求項２０〜３７のいずれかに記載の回路。
【請求項３９】
前記導電素子（７）が円筒形であることを特徴とする請求項３８に記載の回路。
【請求項４０】
前記導電素子（７）が球形であることを特徴とする請求項３８に記載の回路。
【請求項４１】
前記導電素子（７）が、上面及び下面と、少なくとも１つの横方向の面とを有し、前記上面及び下面は前記導電素子（７）の移動方向に直交し、前記横方向の面は小さい突起を有することを特徴とする請求項２０〜３９のいずれかに記載の回路。
【請求項４２】
前記導電素子（７）が中空であることを特徴とする請求項２０〜４１のいずれかに記載の回路。
【請求項４３】
前記第１コンデンサ板（３）と前記第２コンデンサ板（９）とが同じ表面積を有することを特徴とする請求項２２に記載の回路。
【請求項４４】
前記第１コンデンサ板（３）の表面積が、前記第２コンデンサ板（９）の表面積に等しいか、前記第２コンデンサ板の表面積の２倍であることを特徴とする請求項２３に記載の回路。
【請求項４５】
前記コンデンサ板（３、５、９、１１、３５、３７）のうちの１つが、同時に、前記接点（１５、１７、２１、２３）のうちの１つであることを特徴とする請求項２０〜４４のいずれかに記載の回路。
【請求項４６】
前記ミニチュアリレーの１つによって形成される通常オフ状態のリレーを具え、該リレーの前記導電素子（７）は、その重量を補償するのに十分高い接触エネルギーを有する材料で形成されることを特徴とする請求項２０〜４５のいずれかに記載の回路。
【請求項４７】
前記ミニチュアリレーの１つによって形成される通常オン状態のリレーを具え、該リレーの前記導電素子（７）は、その重量を補償するのに十分高い接触エネルギーを有する材料で形成されることを特徴とする請求項２０〜４６のいずれかに記載の回路。
【請求項４８】
前記ミニチュアリレーの２つを直列接続して形成される通常オフ状態のリレーを具え、該リレーの第１のミニチュアリレーは、空間内を第１方向に移動するのに適した第１導電素子（７）を有し、前記リレーの第２のミニチュアリレーは、前記第１のミニチュアリレーに対して、前記第１方向に直交する軸線を中心として１８０°回転され、これにより、両方のミニチュアリレーの２つの前記導電素子（７）は同一方向の互いに逆向きに移動して、同じ接続状態または非接続状態を達成するのに適していることを特徴とする請求項２０〜４７のいずれかに記載の回路。
【請求項４９】
前記通常オフ状態のリレーと同じ第２の通常オフ状態のリレーが、当該リレーの前記導電素子（７）が前記第１方向に直交する第２方向に移動するように空間内に配置されていることを特徴とする請求項４８に記載の回路。
【請求項５０】
前記通常オフ状態のリレーと同じ第３の通常オフ状態のリレーが、当該リレーの前記導電素子（７）が前記第１方向及び前記第２方向に直交する第３方向に移動するように空間内に配置されていることを特徴とする請求項４９に記載の回路。
【請求項５１】
前記ミニチュアリレーの２つを並列接続して形成される通常オン状態のリレーを具え、該リレーの第１のミニチュアリレーは、空間内を第１方向に移動するのに適した第１導電素子（７）を有し、前記リレーの第２のミニチュアリレーは、前記第１のミニチュアリレーに対して、前記第１方向に直交する軸線を中心として１８０°回転され、これにより、両方のミニチュアリレーの２つの前記導電素子（７）は同一方向の互いに逆向きに移動して、同じ接続状態または非接続状態を達成するのに適していることを特徴とする請求項２０〜５０のいずれかに記載の回路。
【請求項５２】
前記通常オン状態のリレーと同じ第２の通常オフ状態のリレーが、当該リレーの前記導電素子（７）が前記第１方向に直交する第２方向に移動するように空間内に配置されていることを特徴とする請求項５１に記載の回路。
【請求項５３】
前記通常オン状態のリレーと同じ第３の通常オフ状態のリレーが、当該リレーの前記導電素子（７）が前記第１方向及び前記第２方向に直交する第３方向に移動するように空間内に配置されていることを特徴とする請求項５２に記載の回路。
【請求項５４】
請求項１〜５３のいずれかに記載の回路を用いてチャージポンプを製造するレギュレータ回路の使用法。
【請求項５５】
請求項１〜５３のいずれかに記載の回路を用いて電源を製造するレギュレータ回路の使用法。
【請求項５６】
請求項１〜５３のいずれかに記載の回路を用いて、ＤＣ／ＤＣコンバータ、ＡＣ／ＤＣコンバータ、及びＤＣ／ＡＣコンバータによって形成されるグループから選択したコンバータを製造するレギュレータ回路の使用法。
【請求項５７】
請求項１〜５３のいずれかに記載の回路を用いてＡ／Ｄ変換器を製造するレギュレータ回路の使用法。
【請求項５８】
請求項１〜５３のいずれかに記載の回路を用いてＤ／Ａ変換器を製造するレギュレータ回路の使用法。
【請求項５９】
請求項１〜５３のいずれかに記載の回路を用いて電力増幅器を製造するレギュレータ回路の使用法。
【発明の詳細な説明】
【技術分野】
【０００１】
（発明の分野）
本発明は電圧または電流レギュレータ（調整器）回路に関するものであり、このレギュレータ回路は、少なくとも２つの入力端子、少なくとも２つのリアクタンスを有する少なくとも第１のリアクタンス群、少なくとも２つの出力端子、及び前記リアクタンスを互いに接続するのに適し、かつ前記リアクタンスの少なくとも１つを前記入力及び出力端子に接続するのに適した複数の相互接続を具えている。本発明は、本発明によるレギュレータ回路の好適な使用法にも関するものである。
【０００２】
（技術状況）
通常、チャージポンプまたは電圧ポンプと称され、外部電源によって特定電圧に充電可能であり、一旦充電されると、給電しなければならない特定負荷に接続されるいくつかのコンデンサを設けられた回路が知られている。適切な相互接続は、外部電源の電圧とは異なる電圧を負荷に供給することを可能にする。実際には、コンデンサが並列接続されて外部電源に接続されれば、すべてのコンデンサが外部電源の電圧を有し、その後にこれらのコンデンサが外部電源から切り離され、互いに直列接続され、その後に負荷に接続されれば、直列接続されたコンデンサの数を外部電源の電圧に乗算した電圧と等価な電圧が負荷に供給される。あるいはまた、コンデンサが外部電源に接続される際に互いに直列接続されており、これらのコンデンサが並列に再接続されて負荷に給電すれば、外部電源の電圧を並列接続されたコンデンサの数で除算した値に等しい電圧が負荷に供給される。
【０００３】
しかし、現在技術状況における既知の回路は、その可能な用途を制限する次のいくつかの欠点を有する：
−  効率が低い。
−  増幅能力が低い。
−  非常に低電力である。
−  大きさが非常に大きい。
−  雑音が出る。
【０００４】
必ずしもすべての回路が上記に挙げたすべての欠点を有するわけではないが、これらの回路は常に、これらの欠点のいくつかを有する。
【０００５】
（発明の概要）
本発明の目的は、上述した欠点を克服することにある。このことは、冒頭段落に示すレギュレータ回路において、前記相互接続がミニチュアリレーで構成され、これらのミニチュアリレーが、前記リアクタンスの直列接続を並列接続に切り換えること、及びその逆を可能にすることを特徴とすることによって達成される。
【０００６】
本明細書及び特許請求の範囲では、リレーとは、接続したい２つの回路端に物理的に接触する導電素子によって電気接触が確立されるコミュテータ（転流器）またはスイッチを称し、この導電素子が切断したい回路端の少なくとも一方にもはや物理的に接触していない際には電気接触が切断され、即ち、この導電素子は（第１位置と第２位置との間で）物理的運動を行い、対応する回路端に物理的に接触することによって電気接続を確立する。さらに、リレーは少なくとも１つの外部回路を開放及び閉路するのに適していなければならず、外部回路の開放及び閉路の動作の少なくとも一方は電磁信号によって実行される。
【０００７】
実際には、ミニチュアリレーの使用は、次の改善を得ることを可能にする：
−  ミニチュアリレーは、閉じている際には非常に低い強度を有し、開放されている際には非常に高い強度を有する。このことは回路の効率を大幅に改善することを可能にする、というのは、ミニチュアリレーは、閉じた回路の場合及び開放された回路の場合において共に、ジュール効果による損失を最小化するからである。
−  ミニチュアリレーは、その作動に必要な電圧よりもずっと高い電圧で動作可能である。この特徴は、回路の制御電圧よりもずっと高い電圧を発生することを可能にするので、非常に重要である。さらに、多数の（３つ以上の）コンデンサを並列接続し、次にこれらのコンデンサを同時に直列接続し、これにより、２回の切り換えステップのみで、望み通りの電圧増加を得ることができる。
−  ミニチュアリレーは非常に高いスイッチング（切り換え）速度を可能にする。このことも同様に重要な利点である、というのは、多かれ少なかれ電力を「ポンピング」する能力（即ち、電圧を与える場合の強度）は基本的に、２つのパラメータ、即ちコンデンサの容量及び「ポンピング」（スイッチングの）速度に依存するからである。ミニチュアリレーは非常に高いスイッチング速度を有し、このことは特定の出力電力用のコンデンサのサイズを低減することを可能にする。従って、ミニチュアリレーの使用は二重のサイズ低減：即ち、ミニチュアリレー自体によるサイズ低減、及びより小さいコンデンサの使用によるサイズ低減を可能にする。
−  大部分の場合において、コンデンサを含めた回路全体を小型化することが可能になる。このことは、複数のリアクタンス群をこれに対応する相互接続と共に必要とし、さらには複数の完結したレギュレータ回路を必要とするが、レギュレータ回路を具えた装置（これについては後述する）のアセンブリを含めたレギュレータ回路全体のアセンブリを小型化することを可能にする。
−  例えば以下で述べるようなミニチュアリレーの使用は、作動させるために必要なエネルギーが非常に少なく、このこともアセンブリの効率を重要なほど改善することを可能にする、というのは、実際には、レギュレータ回路は高速で接続及び切離しを行う多数のミニチュアリレーを有し、ここで低消費電力でないリレーを選択したとすれば、その消費電力は重大な要素となり得るからである。
−  ミニチュアリレーの使用は音響的な問題を明らかに低減することを可能にし、これにより、高速で接続及び切離しを行う多数のリレーを持つにもかかわらず、遮蔽（シールド）型等の防音器を含めることは一般に不要になる。
−  （電気的）外力と負荷との間に高い絶縁が存在し、両者の間の電気経路がなくなる。
−  レギュレータ回路の入力における突発的な電圧変化が軟化（軽減）される。
−  高周波信号が発生しないことにより、ＥＭＣ（Electromagnetic Compatibility：電磁環境適合性）要求に準拠した良好な性能が得られ、従って、非常に少量の電力が放射される。この意味では、ミニチュアリレーは実際には高周波でスイッチングを行うが、電力信号は安定した値を有することを考慮に入れなければならない。これに加えて、あり得る入力妨害は出力に大きな影響を与えず、スイッチング時間を制御する場合には、スイッチング時間を最大限に変化させることができる。
【０００８】
一般に、コンデンサの特定の使用を参照して説明するが、こうしたコンデンサの使用は好適な解決法に過ぎないことを考慮しなければならない。一般に、本発明の回路はあらゆる種類のリアクタンス、例えばコンデンサ、コイル、さらにはこれらの組合せを有することができる。コイルを使用する場合には、これらのコイルを直列接続して電流で充電し、その後に並列接続して、並列接続したコイル数を（直列のコイルを通る）初期電流に乗算した値の最終電流を得ることができる。このことは、それだけで目的のものとなり得る電流源、あるいはその後に電圧源として動作可能にすべく適応することのできる電流源を得ることを可能にする。超伝導材料で作製したコイルを使用することが好ましく、このことは、必要なコイル数を低減し、ミニチュアリレーに要求されるスイッチング時間を低減し、コイル内でのエネルギー損失が全くないので効率を増加させ、そしてレギュレータ回路をすべて集積することを可能にする。
【０００９】
本発明のレギュレータ回路は、少なくとも２つのリアクタンスを有する第２のリアクタンス群、前記第２のリアクタンス群のリアクタンスを互いに接続するのに適し、そして前記第２のリアクタンス群の少なくとも１つのリアクタンスを前記入力及び出力端子に接続するのに適した複数の相互接続を具え、これらの相互接続はミニチュアリレーで構成され、これらのミニチュアリレーはこれらのリアクタンスの直列接続を並列接続に切り換えること、及びその逆を可能にすることが好ましい。基本的な思想は次の通りである：前記第１のリアクタンス群が、充電される間には負荷に電力を供給していないので不連続的に動作するものとすれば、前記第１のリアクタンス群が充電されている期間中に負荷に給電し続けることを可能にする素子を含めることが勧められる。この素子は、出力フィルタの機能を実行するコンデンサとすることができ、あるいは、前記第１のリアクタンス群と時間的に互い違いに動作する第２のリアクタンス群とすることができ、即ち、一方のリアクタンス群が充電されている間に他方の群は負荷に給電している。理論的には、このように動作する３つ以上の群を持つことが可能であり、さらにはこのように動作する数個の群を出力フィルタと同時に設けることができる。
【００１０】
本発明のレギュレータ回路は集積回路内に集積することが有利である。一般に、レギュレータ回路全体をできる限り小さい空間内にグループ化することが重要である。必要なキャパシタンス値をモノリシック集積回路内に集積することはできないので（非常に高いスイッチング速度が要求されるでの）、回路全体をＳｏＣ（System on Chip：システム・オン・チップ）型のモノリシック集積回路内に集積することは困難であるが、すべての要素を、対応するコンデンサを有するＭＣＭ（Multi-Chip Module：マルチチップ・モジュール）を含むパックであるＳＩＰ（System in Package：システム・イン・パッケージ）型の集積回路内に含めることは可能である。ユーザにとっては、このアセンブリは集積回路である。
【００１１】
一般に、本発明のレギュレータ回路は、あらゆる入力電圧：即ち連続的な電圧、交番電圧、あるいは一般に時間と共に変化する電圧のいずれをも変換（増加または低減）することができ、入力電圧を、同じ波形であるが増加または低減された出力電圧に変換する。同様に、以下のようにあらゆる出力電圧を発生することが可能である：
−  常に同一（例えば２５Ｖ）で常に安定した出力電圧を得ることができる。
−  常に安定しているが、（単に、直列／並列切り換えしなければならないコンデンサを異なる数にプログラムすることによって）負荷の要求に応じて異なる出力電圧を得ることができ、これによりユーザは所望の出力電圧（例えば１５、２０または２５Ｖ）を選定することができる。
−  入力電圧は連続的であるが、時間と共に交番または変化する出力電圧を得ることができ、このことは、直列／並列切り換えしなければならないコンデンサの数を特定時系列に従うようにプログラムするか、あるいは一般的には、発生しなければならない電圧をモジュールが制御して行う。
【００１２】
従って、本発明によるレギュレータ回路の好適な使用法は、ＤＣ／ＤＣ（連続電流（直流）／連続電流）コンバータ（変換器）、ＡＣ／ＤＣ（交番電流（交流）／連続電流）コンバータ、及びＤＣ／ＡＣ（連続電流／交番電流）コンバータを製造することを目的とする。あるいは、換言すれば、本発明の主題は、本発明によるレギュレータ回路を具えたＤＣ／ＤＣコンバータ、ＡＣ／ＤＣコンバータ、及び／またはＤＣ／ＡＣコンバータでもある。
【００１３】
本発明の他の特徴及び利点は以下の説明より明らかになり、以下では、全く限定的ではない本発明のいくつかの好適な実施例を図面を参照しながら説明する。
【００１４】
（発明の実施例の詳細な説明）
図１．１及び１．２にチャージポンプの基本的な概念を示し、このチャージポンプは、２つの入力端子、及びこれらの入力端子に直列接続された複数のコンデンサＣ1、Ｃ2、Ｃ3、Ｃ4を具えた回路である。すべてのコンデンサが電圧Ｖiに充電され、その後にこの回路は、これらのコンデンサが並列になるように再接続される。出力端子における電圧Ｖoは電圧Ｖiの４倍である。さらに、この順序（シーケンス）を逆にして行い、電圧を４分の１にすることもできる。これらの略図では、必要な接続を可能にするためには複数の相互接続及びこれに対応するリレーが存在しなければならないでの、すべての相互接続もこれに対応するリレーも示していない。
【００１５】
この種の回路により、出力電圧を別個の方法で：即ち、入力電圧の整数倍の倍数として、あるいは整数分の１の商として増加または減少させることができる。本発明によるレギュレータ回路の好適な解決法は、上記コンデンサの少なくとも１つの電圧監視手段を具え、この電圧監視手段は、このコンデンサの電圧の時間的変化を検出するのに適し、この解決法はさらに、このコンデンサの電圧が所定値に達すると、このコンデンサを上記入力端子から切り離すのに適した制御手段を具えている。実際には、このようにして、上記コンデンサが０からＶiまでの範囲の任意の電圧に充電され、これにより、その後にレギュレータ回路の出力において任意電圧値が達成可能である、ということを達成することができる。この種の監視兼制御手段の例を図２．１に示す。リレーＳ1が接続時に有する抵抗をＲrで表わす。コンデンサＣの端子Ｖoにおける電圧は基準電圧Ｖrと比較され、Ｖo＝Ｖrであるとリレーが開放される。入力電圧が比較器の供給電圧より高いピック値を有する場合には、比較器に到達する電圧を低減する必要があり、このことは例えば比較器の負の入力端子の前に抵抗分圧器を配置することによって行うことができ、顕著なエネルギー損失を生じさせないために高い抵抗値を持たせる（図２．２）。
【００１６】
図１．１及び１．２にリアクタンス接続の基本方式を示す。しかし、出力信号において（監視手段を使用する必要なしに）より高い精度を得るために、次の異なる方策を用いることができる：
−  第１の信号増幅を実行し、その後にこの信号の低減を実行する（あるいはその逆を行う）２段階のカスケード・レギュレータ回路を持つ。この順序は、出力電圧が高くなければならないか否か（この場合には、第１段階は過度に高い電圧を回避するための低減である）、あるいは、出力電圧が低減されるか否か（この場合には、第１段階は、過度に低い電圧及びノイズの問題を回避するための増幅である）に依存する。
−  複数の並列なリアクタンス・バッテリを持ち、各バッテリは複数の直列リアクタンスによって形成される。すべてのリアクタンスが同時に充電され、その後に、所望の信号に達するために接続しなければならないリアクタンスを選択する。図３に例を示し、ここでは各々が４つのコンデンサを有する３つのバッテリを示す。この場合には、例えば、入力電圧Ｖinを最大３倍まで増幅することができ、そしてＶin／４までの範囲にすることができる。
【００１７】
本発明の主題は、本発明によるレギュレータ回路を具えた電源でもあり、換言すれば、本発明によるレギュレータ回路を用いて電源を製造することでもある。
【００１８】
本発明によるレギュレータ回路は、次の追加的要素の少なくとも１つを具えていることが好ましい：
【００１９】
ａ）  ディジタル電源モジュール：このディジタル電源モジュールは、レギュレータ回路を含むディジタル回路に給電するために必要な電圧を発生し、通常オン状態の第１安全リレーをその第１電力入力端子に有する第１電源、及び通常オフ状態の第２安全リレーをその第２電力入力端子に有する第２電源を具え、上記第２リレーは上記第１電源が発生する電圧によって閉じる。このモジュールの目的は、レギュレータ回路のディジタル回路に必要な連続電流ＶＤＤを供給することにある。
【００２０】
図４．１にディジタル電源モジュールの例を示し、図４．２〜４．５にその動作シーケンス（順序）を示す。図を簡略化するために、以下の図の大部分において、端子もこれに対応する０Ｖ（または接地）への接続も示していない。リレーＲ1及びＲ2は通常オン状態のリレーであり、リレーＲ3及びＲ4は通常オフ状態のリレーである。レギュレータ回路全体がオフ状態である際にはＶin＝０であり、図４．２に示す状況が発生する。第１電源をＶＤＤ0で表わし、第２電源をＶＤＤ1で表わす。ＶＤＤ1が起動された際に最初に行うことは、リレーＲ4を接続することである。このようにして、ＶＤＤ1は電圧Ｖinを受けてこれを調整することができる。第１電源ＶＤＤ0は通常の線形電源であり、第２電源ＶＤＤ1は、第２レギュレータ回路を具え、このレギュレータ回路は少なくとも、２つの入力端子、少なくとも２つのリアクタンスを有する少なくとも第１リアクタンス群、少なくとも２つの出力端子、上記リアクタンスを互いに接続するのに適し、かつ上記リアクタンスの少なくとも１つを上記入力及び出力端子に接続するのに適した複数の相互接続を具え、これらの相互接続はミニチュアリレーで構成され、これらのミニチュアリレーは、上記リアクタンスの直列接続を並列接続に切り換えること、及びその逆を可能にすることが好ましい。即ち、第２電源ＶＤＤ1は、給電しなければならないレギュレータ回路と同等のレギュレータ回路を具えていることが好ましい。第２電源ＶＤＤ1が起動された後には、電圧ＶＣＣがＶＤＤ1の出力ＶＤＤ1を通して得られる。この時点では、リレーＲ2は開放されリレーＲ3は閉じている（図４．４）。最後に、リレーＲ1が開放され、これにより第１電源ＶＤＤ0が切り離され、動作シーケンスを終了する（図４．５）。
【００２１】
一般に、本明細書及び特許請求の範囲では、「通常オン状態のリレー」及び「通常オフ状態のリレー」という表現は、これらが単一のリレーであるものとして用いる。しかし、これらのリレーの設計には異なる形態が存在し、それらの一部では、（以下に見られるように）これらのリレーは複数の「要素（エレメント）リレー」によって形成される。従って、本明細書及び特許請求の範囲では、「通常オン状態」及び「通常オフ状態」という表現は、単一の物理的リレーまたはいくつかのリレーによって形成される、より複雑になり得るかより複雑でなくなり得るメカニズムを称し、これらのメカニズムは通常オフ状態のリレーまたは通常オン状態のリレーの機能を実行することができることは明らかである。
【００２２】
ｂ）  入力保護モジュール：この入力保護モジュールは、レギュレータ回路がオフ状態になった際に上記リアクタンスに達する過負荷（オーバーロード）を回避する通常オフ状態のリレーを具えている。
【００２３】
ｃ）  整流モジュール：この整流モジュールは上記入力端子に接続された信号を整流する。ことが好ましい。この整流モジュールは、入力端子の極性を、これらの入力端子に接続され、整流したい交番信号に応じて動的に反転させるのに適したミニチュアリレーを具えていることが好ましい。この解決法は、ダイオードのブリッジに基づく解決法に対して、ダイオードの電圧降下、及び結果的な電力損失を共に回避する点で有利である。
【００２４】
ｄ）  基準信号モジュール：この基準信号モジュールは上記入力端子における信号を上記出力端子における信号と比較して、制御信号を信号調整（レギュレーション）モジュールに送信する。前述したように、一般に、上記レギュレータ回路はコイル及び／またはコンデンサを有することができる。従って、この基準信号モジュールは電圧または電流で動作するモジュールと同様にすることができる。一般に、このモジュールは２つの入力信号、即ち基準信号及びレギュレータ回路の実際の出力信号、及びこの基準信号の実際値を調整する役割を担う出力信号を有する。随意的に、この基準信号モジュールが発振器を含んで、上記レギュレータ回路が交番電流信号を発生することができる。このことは、例えば自動車のバッテリのような任意の連続電流源から交番電流を得ることを可能にする。
【００２５】
ｅ）  出力モジュール：この出力モジュールは、前述したように、より一様な電圧を負荷に供給することを可能にする出力コンデンサを有する出力フィルタを具えている。
【００２６】
ｆ）  出力保護モジュール：この出力保護モジュールは通常オフ状態の安全リレーを有し、出力における過負荷の場合には、このリレーが開いて、上記レギュレータ回路を上記出力端子から切り離す。
【００２７】
これらのモジュールのいくつかは、本発明の主題である他の装置内で用いることができるが、これらの追加的なモジュールは、上記レギュレータ回路が電源に含まれる場合に特に重要であることは当業者にとって明らかである。
【００２８】
本発明によるレギュレータ回路の好適な使用法は、Ａ／Ｄ（アナログ／ディジタル）変換器の製造用である。あるいは、換言すれば、本発明の主題は、本発明によるレギュレータ回路を具えたアナログ／ディジタル変換器である。この意味では、本発明によるレギュレータ回路は、上記出力端子に接続されたＡ／Ｄ変換器を具えていることが有利である。実際には、上記レギュレータ回路は信号をディジタル化する前に増幅する。本発明によるレギュレータ回路のみによって、従来の能動増幅器が不可能であった、電源電圧を大きく上回る信号を増幅することができる。このようにして、ずっと大きい値を有し、さらにごくわずかなノイズを発生する装置によって増幅された信号がディジタル化される点で、ディジタル化中のノイズ導入の影響を最小化することが達成される。従って、信号がΔＶに影響を与えずに増幅されているので、ΔＶの系によって得ることのできる分解能であれば、最終的な分解能はより高くなる。
【００２９】
上記Ａ／Ｄ変換器は、Ｇ個のインピーダンスを有する第１分圧器、上記出力信号とこの分圧器との間に接続されたＧ個の比較器装置、及び第２Ａ／Ｄ変換器を具えたセグメント化された変換器から成り、上記比較器装置の各々は、Ｇ個のインピーダンスを有する第２分圧器及び比較器を具えていることが有利である。実際には、上記Ａ／Ｄ変換器にあり得る欠点は、回路の電源電圧よりもずっと高い電圧を有する可能性のある信号を変換しなければならないことであり、このことは従来のＡ／Ｄ変換器にとって問題となり得る。この欠点を解決する方法は、従来のＡ／Ｄ変換器をＲＣ回路及び放電時間計で置き換えることによるものである。しかし、この系は非常に正確ではない。しかし、上記セグメント化された変換器は非常に高い分解能を可能にする。
【００３０】
このセグメント化された変換器の例を図５に示す。このセグメント化された変換器は入力電圧ＧＶinを有し（実際には、上記レギュレータ回路の端子の出力電圧である）、この電圧はディジタル化すべき元の電圧のＧ倍である。即ち、上記レギュレータ回路は元の信号を倍率Ｇ倍に増幅している。そして、上記セグメント化された変換器は基準電圧Ｇ・Ｖccを（Ｇ個のインピーダンスを有する）上記第１分圧器によって分圧して、対応する比較器装置ＣＤＵにおいて、信号Ｇ・Ｖinを上記第１分圧器の各セグメントの電圧と比較する。図５の例では、上記セグメント化された変換器は４つの比較器装置を有し（Ｇ＝４）、これらをＣＤＵ1、ＣＤＵ2、ＣＤＵ3、及びＣＤＵ4で示す。このようにして、ディジタル化した信号Ｖinの比較的上位の桁が決定される。最後に、「境界」セグメントに対応する信号を取得し、この信号を、各比較器装置ＣＤＵ内に含まれる第２分圧器によってＧ分の１に分圧して第２Ａ／Ｄ変換器ＡＤＣに送り、第２Ａ／Ｄ変換器ＡＤＣは通常のものとすることができる。この第２Ａ／Ｄ変換器ＡＤＣはディジタル化された信号の比較的下位の桁を担う。
【００３１】
図６．１に比較器装置ＣＤＵを示し、図６．２〜６．４にその比較シーケンスを示す。比較器装置ＣＤＵはまず、その分圧器（各比較器装置が有する第２分圧器、この例では４つの直列コンデンサによって形成される）を、一方では第１分圧器の対応する電圧ＶＲＥＦiに電圧に接続し、他方ではＧ・Ｖinに接続する（図６．２）。図に見られるように、ＶＲＥＦiが比較器装置ＣＤＵ毎に異なるので、第２分圧器の各端子における電圧降下は比較器装置ＣＤＵ毎に異なり、従っていくつかは負電圧となり、他のものは正電圧となる。そして、これらのコンデンサのうちの１つの端子を（ここではＶＣi、即ち４で割った電圧差が得られ、これにより、使用する電子回路の動作範囲内に常にあることが保証される）、電圧差の符号を示す信号Ｃiを与える比較器に接続することによって、上記電圧差が正であるか負であるかを検出する（図６．３）。どの比較器装置内で符号変化が生じているかを知れば、ディジタル信号の最も重要なビットを決定することが既に可能である。最後に（図６．４）、上記コンデンサの１つの（電圧符号の変化を検出する働きをしたのと同じコンデンサの、あるいは上記第２分圧器の他のコンデンサの）端子における電圧を通常のＡ／Ｄ変換器の端子ＡＤＣL及びＡＤＣHに接続し、このＡ／Ｄ変換器は上記ディジタル信号のより重要でないビットを決定する。
【００３２】
本発明によるレギュレータ回路の他の好適な使用法は、Ｄ／Ａ（ディジタル／アナログ）変換器の製造用である。あるいは、換言すれば、本発明の主題は、本発明によるレギュレータ回路を具えたＤ／Ａ（ディジタル／アナログ）変換器でもある。この意味では、本発明によるレギュレータ回路は、その入力端子に接続されたＤ／Ａ変換器を具えていることが有利である。本発明によるＤ／Ａ変換器の例を図７に示す。この例では、上記レギュレータ回路は、Ｖcc、ＧＮＤ（接地）、あるいは通常のＤ／Ａ変換器ＤＡＣ0に独立して接続可能な４つのコンデンサを有する。さらに、これら４つのコンデンサは直列に接続することができる。例として、Ｖccが５Ｖであるとすれば、直列接続された４つのコンデンサの出力における最大値は２０Ｖになり、即ち、信号は４倍に増幅される。ディジタル化した信号が３Ｖ（即ち、基準値の３／５）に相当する場合には、直列接続されたコンデンサの出力電圧は１２Ｖでなければならない。適切にプログラムされたディジタル回路はこれらの計算を実行し、そして次の動作を実行する：
【００３３】
−  下位２つのリレーがＶcc（５Ｖ＋５Ｖ＝１０Ｖ）に、互いに並列に接続されるように、対応するリレーを作動させる；
−  Ｄ／Ａ変換器ＤＡＣ0が２Ｖの電圧を発生するように、対応するディジタル値を送る；
−  第３コンデンサをＤ／Ａ変換器ＤＡＣ0（１０Ｖ＋２Ｖ＝１２Ｖ）に接続すべく、第３コンデンサのリレーを作動させる；
−  第４コンデンサをＧＮＤ（接地）に接続すべく、第４コンデンサのリレーを作動させる。
【００３４】
一旦、これらのコンデンサが充電されると、これらのコンデンサは直列接続されて、１２Ｖの電圧が得られる（現在２０Ｖの基準値の３／５に相当する）。
【００３５】
このようにして、特に高精度の場合には、より高精度、より低コストでより高速のＤ／Ａ変換器が達成される。
【００３６】
（Ｄ／Ａ変換器の一部である）上記レギュレータ回路は第２レギュレータ回路を具え、この第２レギュレータ回路は少なくとも、２つの入力端子、少なくとも２つのリアクタンスを有する少なくとも第１のリアクタンス群、少なくとも２つの出力端子、上記リアクタンスを互いに接続するのに適し、そして上記リアクタンスの少なくとも１つを上記入力及び出力端子に接続するのに適した複数の相互接続を具え、これらの相互接続はミニチュアリレーで構成され、これらのミニチュアリレーは上記リアクタンスの直列接続を並列接続に切り換えること、及びその逆を可能にし、上記第２レギュレータ回路は上記第１レギュレータ回路の出力端子に接続されている。実際には、この第２レギュレータ回路は４分の１倍（÷４）の増幅器として図７に示す。その機能はここでも、信号を基準値Ｖccに合わせて調整することであり、これにより、前の例に続いて、Ｖoの値は最終的に、取得したい３Ｖになる。
【００３７】
（Ｄ／Ａ変換器の一部である）上記レギュレータ回路は、出力バッファ及び／またはトラック・アンド・ホールド（追跡兼保持）増幅器を具えている。このことは、Ｄ／Ａ変換器に付け加えられた負荷のリアクタンスを切り離して、ある時間中に発生される信号を維持することを可能にする。あるいはまた、本発明によれば、並列接続されたいくつかのＤ／Ａ変換器を用いて、これらを負荷に直列接続することができる。
【００３８】
本発明の主題は、本発明によるレギュレータ回路を用いて電力増幅器を製造することでもあり、即ち、本発明は、本発明によるレギュレータ回路を具えた電力増幅器にも関するものである。
【００３９】
本発明はさらに、上記応用に適した、１つ（またはいくつかの）ミニチュアリレーを具えたレギュレータ回路に関するものである。
【００４０】
現在、特にＭＥＭＳ（Micro Electro-Mechanical Systems：微小電気−機械系）技術、マイクロシステム、及び／またはマイクロマシンとして知られている技術の関係では、ミニチュアリレーを生産するための種々の代案が存在する。原則的に、こうしたものは、接点電極を動かすために使用する力またはアクチュエーションの種類に応じて分類することができる。従って、この分類は通常、静電、電磁、熱、及び圧電リレーの間に当てはまる。これらの各々が利点及び欠点を有する。しかし、小型（ミニチュア）化技術はできる限り小さい作動電圧及び表面を必要とする。現在技術状況において知られているリレーは、この関係での進歩を妨げるいくつかの問題を有する。
【００４１】
作動電圧を低減する方法はまさにリレーの表面積を増加させることであるが、このことは、リレーの有効寿命及び信頼性を低下させる変形された外観をもたらすこととは別に、小型化を困難にする。静電リレーでは、作動電圧を減少させるための他の解決法は、電極間の空間を大幅に低減するか、あるいは非常に薄い電極または特別な材料を用いて、機械的復元力を非常に低くすることである。しかし、このことは付着の問題を暗に意味する、というのは、毛管現象の力が非常に大きく、従ってこのことも、これらのリレーの有効動作寿命及び信頼性を低下させる。高い作動電圧の使用も、構成要素のイオン化、強い機械的誘引力による磨耗の加速、及びリレーが発生する電気的ノイズのような負の効果を有する。
【００４２】
静電リレーは信頼性についても、「プル−イン」として知られている現象による大きな問題を有し、この問題は、一旦所定しきい値を過ぎると、接点電極は他の自由電極に向けて加速度を増加させて移動する、ということから成る。このことは、リレーが閉じる際に、閉じるための静電力を出すコンデンサがその容量を大幅に増加させる（そして、手前に止め具（ストップ）が設けられていないとすれば無限に増加する）、ということによる。結果的に、発生する高電界、及び移動する電極が受ける加速によって生じる衝撃により、最終的に電極上に大きな損耗が生じる。
【００４３】
熱的、磁気的、及び圧電的な方法は、特別な材料及びマイクロマシン（微細加工）プロセスを必要とし、従ってより複雑なＭＥＭＳ装置（デバイス）内への集積、あるいは電子回路と同じ装置内への集積が困難かつ／あるいは高価になる。これに加えて、熱的な方法は低速であり（言わば、回路が長い開放時間または閉路時間を有し）、かつ大量の電力を使用する。磁気的な方法は電磁ノイズを発生し、このことは電子回路を近くに置くことをより困難にし、そして切換えのために大きなピーク電流を必要とする。
【００４４】
本明細書及び特許請求の範囲では、「接点」とは、面上に電気接点が作製されている（あるいは作製可能な）接触面を称するべく用いる。この関係では、接点は三次元要素であるので、幾何学的意味での点として解釈すべきではなく、電気的意味で、電気回路内の点として解釈すべきである。
【００４５】
従って、本発明は他の好適例を有し、この好適例によれば、上記レギュレータ回路のミニチュアリレーの少なくとも１つが：
−  第２ゾーンと対面する第１ゾーンと、
−  第１コンデンサ板（プレート）と、
−  前記第２ゾーン内に配置され、前記第１コンデンサ板より小さいか前記第１コンデンサ板に等しい第２コンデンサ板と、
−  前記第１ゾーンと前記第２ゾーンとの間に設けられた中間的空間と、
−  前記中間的空間内に設けられ、前記第１ゾーン及び前記第２ゾーンから機械的に独立し、前記第１及び第２コンデンサ板に存在する電圧に応じて前記中間的空間内の移動を行うのに適した導電素子と、
−  電気回路の第１接点及びこの電気回路の第２接点とを具え、前記第１及び第２接点が第１止め具を規定し、前記導電素子が前記第１止め具に接触するのに適したものであり、前記導電素子が前記第１止め具に接触すると前記電気回路を閉じる。
【００４６】
実際に、本発明によるリレーによれば、前記導電素子、即ち（前記第１接点と前記第２接点との間の）外部電気回路を開閉する役割をする素子が、自由に移動可能な分離した部分である。即ち、リレーの動きのうちの１つをさせるために材料の弾力を用いない。このことは複数の異なる解決法を可能にし、そのすべてが、必要とする作動電圧が非常に低く、かつ非常に小型の設計を可能にするという利点の恩恵を得る。前記導電素子は前記中間的空間内に収容される。前記中間的空間は、前記第１及び第２ゾーン、及び横壁によって閉じられ、これらの横壁は前記導電素子が前記中間的空間から出ることを防止する。前記第１コンデンサ板と前記第２コンデンサ板との間に電圧が印加されると、前記導電素子内に静電力を発生させる電荷分布がもたらされ、この静電力が、前記導電素子を前記中間的空間に沿った方向に移動させる。以下に詳細に説明する種々の設計によって、この効果はいくつかの異なる方法で用いることができる。
【００４７】
これに加えて、本発明によるリレーは、前述した「プル−イン」の問題も同様に満足に解決する。
【００４８】
本発明によるリレーの他の追加的な利点は次の通りである：
従来の静電リレーでは、前記導電素子が所定位置（とりわけ湿度に大きく依存する）に付着すれば、付着をはがす可能な方法がない（例えば乾燥させるような外部的手段による方法を除いて）、というのは、復元力が弾力であるため常に同一（位置のみに依存する）であり、増加させることができないからである。これとは逆に、本発明によるリレー内で前記導電素子が付着すれば、電圧を増加させることによって付着をはがすことが常に可能である。
【００４９】
前記中間的空間の幾何学的形状の機能、及び前記コンデンサ板の位置決めは、いくつかの異なる種類のリレーを提供することができ、その数だけの用途及び活用法が伴う。
【００５０】
例えば、前記導電素子の移動を次のようにすることができる：
【００５１】
−  第１の可能性は、前記導電素子が前記中間的空間内を進行的な動きで移動する、ということであり、即ち、前記第１ゾーンと前記第２ゾーンとの間をほぼ直線的に移動する（もちろん、ありうるショックあるいは振動、及び／または不用意かつ不所望な外力によって生じる移動を除く）。
【００５２】
−  第２の可能性は、前記導電素子が実質的な固定端を有し、この固定端を中心に回転可能である、ということである。この回転軸が、外部電気回路用の接点の機能を果たすことができ、前記導電素子の自由端が、前記第１ゾーンと前記第２ゾーンとの間を移動することができ、その位置次第で、他の接点に接触したりしなかったりする。以下に概説するように、この方法は広範かつ格別な利点を有する。
【００５３】
前記第１接点が、前記第２ゾーンと前記導電素子との間にあることが有利である。これにより、広範な解決法を得ることができ、これについては以下で説明する。
【００５４】
本発明の好適例は、前記第１コンデンサ板が前記第２ゾーン内にある際に達成される。あるいはまた、前記第１コンデンサ板が前記第１ゾーン内にあるようにリレーを設計することができる。最初の場合には、より高い作動電圧を有するより高速なリレーが得られる。他方では、２番目の場合には、リレーがより低速であり、このことは、前記導電素子が受けるショック及び前記導電素子の停止がより緩やかであり、エネルギー消費がより小さいことを意味する。各場合における特定の要求に応じて、一方または他方の選択肢の間で選択を行うことができることは明らかである。
【００５５】
本発明の好適例は、前記第２接点が前記第１接点と同様に前記第２ゾーン内にある際に達成される。この場合には、前記導電素子がほぼ直線的に進む動きをするリレーが得られる。前記導電素子が前記第１止め具に接触すると、即ち前記電気回路の前記第１及び第２接点に接触すると、この電気回路が閉じて、以下に詳述する異なる種類の力によってこの電気回路を開放することができる。この電気回路を再び閉じるためには、前記第１コンデンサ板と前記第２コンデンサ板との間に電圧を印加すれば十分である。このことは、前記導電素子を前記第２ゾーンに向けて誘引して、前記第１及び第２接点に再び接触させる。
【００５６】
前記第１コンデンサ板が前記第１ゾーン内にあり、前記第２コンデンサ板が前記第２ゾーン内にあれば、前段落で述べた回路を開放するために必要な力を達成する方法は、前記第２ゾーン内に配置された第３コンデンサ板を追加することであり、ここでこの第３コンデンサ板は前記第１コンデンサ板より小さいか前記第１コンデンサ板に等しく、前記第２コンデンサ板と第３コンデンサ板とを合わせた大きさが前記第１コンデンサ板より大きい。この構成では、前記第１コンデンサ板が前記中間的空間の一方の側にあり、前記第２コンデンサ板及び前記第３コンデンサ板が前記中間的空間の他方の側にあり、これらのコンデンサ板は互いに近接している。このようにして、前記導電素子を静電力によって両方向に移動させることができ、これに加えて、外部電気回路によって前記導電素子が原則的に未知の電圧のままにされても、外部電気回路を閉じることを保証することができる。
【００５７】
本発明の他の好適な実施例は、リレーが前記第２ゾーン内に配置された第３コンデンサ板及び前記第１ゾーン内に配置された第４コンデンサ板を具えている際に達成され、ここで前記第１コンデンサ板と前記第２コンデンサ板とが互いに等しく、前記第３コンデンサ板と前記第４コンデンサ板とが互いに等しい。実際に、このようにすれば、前記導電素子を前記第２ゾーンに向かって進行させたい場合に、一方の側にある前記第１及び第４コンデンサ板と、他方の側にある前記第２及び第３コンデンサ板との間に電圧を印加することができる。前記導電素子が、最小のコンデンサ板が配置された箇所に向かって移動するものとすれば、この導電素子は前記第２ゾーンに向かって移動する。同様に、前記第２及び第３コンデンサ板と前記第１及び第４コンデンサ板との間に電圧を印加することによって、前記導電素子が前記第１ゾーンに向かう移動を行うことができる。この解決法の、３枚のコンデンサ板によるより簡単な解決法に対する利点は、この解決法はコンデンサ板が対称であり、即ち、前記導電素子が前記第２ゾーンに向かうか前記第１ゾーンに向かうかとは無関係に、全く同じリレー動作を達成することができる、ということである。前記第１、第２、第３、及び第４コンデンサ板が互いに等しいことが有利である、というのは、一般に、リレーの設計が対称であることがいくつかの点で好都合であるからである。一方では、上述したように、第１ゾーンと第２ゾーンとの間に対称性が存在する。他方では、例えば以下で述べる前記導電素子の回転または振動の問題のような他の問題を回避するために、他の種類の対称性を保つ必要がある。この関係では、リレーが、前記第１ゾーン内に配置された第５コンデンサ板及び前記第２ゾーン内に配置された第６コンデンサ板を追加的に具えて、これらの第５コンデンサ板と第６コンデンサ板とが互いに等しいことが特に有利である。一方では、コンデンサ板の数を増加させることは、製造上の変動をより良好に補正できるという利点を有する。他方では、印加電圧及び作動時間の両方の観点から、いくつかの異なるコンデンサ板を独立して活性化することができる。６枚のコンデンサ板のすべてを互いに等しくするか、あるいはまた、同じ側の３枚の板を互いに対して異なる大きさ（サイズ）にすることができる。このことは、作動電圧の最小化を可能にする。各ゾーン内に３枚以上のコンデンサ板を有するリレーは、次の目的のすべてを達成可能にする：
【００５８】
−  リレーが両方向に対称に機能することができる；
−  リレーが、固定値のリレーの寸法全体にわたって最小の作動電圧を可能にする設計である、というのは、一方のゾーン内で作用する２枚のコンデンサ板及び他方のゾーン内で作用する１枚の板を持つことによって、別個の表面領域を常に用意することができるからである；
−  リレーの電流及び電力消費の最小化を可能にし、そしてより円滑なリレー機能も可能にする；
−  外部電気回路が接触した際に、この外部電気回路から前記導電素子に伝達される電圧とは無関係に、リレーが開閉することを保証することができる；
−  特に、リレーが各ゾーン内に６枚のコンデンサ板を有する場合に、追加的に点対称の要求に従うことができ、点対称は以下に示すように、他の重要な利点である。従って、本発明の他の好適例は、リレーが、前記第１ゾーン内に配置された６枚のコンデンサ板、及び前記第２ゾーン内に配置された６枚のコンデンサ板を具えている際に得られる。しかし、各ゾーン内に６枚のコンデンサ板を有することは、点対称を達成するために絶対に必要なことではなく：例えば各ゾーン内の３枚のコンデンサ板でも達成可能であるが、この場合には、電流及び電力消費の最小化、及びリレーの「円滑な」機能動作の最適化をあきらめなければならない。一般に、各ゾーン内のコンデンサ板の数を増加させることは、設計上の柔軟性及び融通性の拡大を可能にしつつ、製造に固有の変動を低減することができる、というのは、各コンデンサ板の製造上の変動は、残りの板の変動によって補償されやすいからである。
【００５９】
しかし、特定の場合には、前記導電素子に進行的な移動に加えてある種の回転を行わせるために、力のモーメントを慎重に生じさせることが好ましいことがある、ということを無視すべきでない。例えば、前記導電素子にあり得る、固定壁に対する付着または摩擦を克服することが有利なことがある。
【００６０】
リレーが、１つの第２止め具（あるいは、前記第１止め具と同数の第２止め具）を前記第１ゾーンと前記導電素子との間に具えていることが有利である。このようにして、前記第１ゾーンと前記第２ゾーンとの間の幾何学的対称性も達成される。前記導電素子が前記第２ゾーンに向かって移動する際には、前記第１止め具と接触するまで移動することができ、そして前記電気回路を閉じる。前記導電素子が前記第１ゾーンに向かって移動する際には、前記第２止め具に接触するまで移動することができる。このようにして、前記導電素子が行う移動が対称になる。
【００６１】
本発明の他の好適例は、リレーが、前記第１ゾーンと前記導電素子との間に配置され、第２止め具を規定する第３接点を具えて、前記導電素子が前記第２接点及び前記第３接点に接触すると第２電気回路を閉じる際に達成される。この場合には、リレーが、前記第２接点を前記第１接点と前記第３接点とに交互に接続する転流器（コミュテータ）として作用する。
【００６２】
前の例の特に有利な具体例は、前記導電素子が、軸を規定し、かつラジアル方向に中空の円筒部分と、前記中空の円筒部分の１つの側部から突出して前記軸方向に延びる平坦部分とを具えて、前記円筒部分の内部に前記第２接点が収容され、前記平坦部分の前記軸方向に測った高さが、前記円筒部分の前記軸方向に測った高さより小さい際に達成される。この特別な場合は、前記導電素子がその一方の端を中心とした回転移動を行う環境にも同時に準拠する（上述した「第２の可能性」を参照）。これに加えて、前記円筒部分が（この円筒の各端に１つずつあり、前記第１ゾーンと前記第２ゾーンとの間に延びる）軸受面上にあり、前記平坦部分は、その高さがより小さいので、前記円筒部分に対して片持ち支持される。従って、前記平坦部分は壁面あるいは固定面（前記第１及び第２接点を除く）に接触せず、このようにして、付着及び摩擦力を軽減することができる。前記第２接点については、前記円筒部分の内部に収容され、回転軸並びに第２接点として作用する。従って、前記第１接点と前記第２接点との間に、あるいは前記第３接点と前記第２接点との間に電気接続が確立される。前記中空の円筒部分は円筒形の穴を規定し、すべての場合に前記第２接点に向かって曲がる曲面を有し、従って、付着及び摩擦力の恐れを減らす。
【００６３】
前の例の特に有利な具体例は、前記導電素子が、軸を規定し、かつラジアル方向に中空の平行六面体部分と、前記中空の平行六面体部分の１つの側部から突出して前記軸方向に延びる平坦部分とを具えて、前記平行六面体の内部に前記第２接点が収容され、前記平坦部分の前記軸方向に測った高さが、前記平行六面体部分の前記軸方向に測った高さより小さい際に得られる。実際に、この具体例は上記具体例と似ており、ここでは前記平行六面体部分が平行六面体の穴を規定する。この解決法は、非常に小型の具体例の場合に特に有利である、というのは、この場合には、製造プロセス（特に、フォトリソグラフィーの手順の場合）の分解能が直線の使用を余儀なくさせるからである。両方の場合において強調すべきことは、決まっている幾何学的形状は中空の幾何学的形状であり、実際には、次のいくつかの異なる組み合わせが可能である、ということである：
【００６４】
−  矩形部分を有する軸（第２接点）、及び矩形部分をなす穴；
−  円形部分を有する軸、及び円形部分をなす穴；
−  円形部分を有する軸、及び矩形部分をなす穴、及びその逆；
但し、最初２つの組み合わせが最も有利である。
【００６５】
理論的には、上記部分は矩形であるべきであるが、軸と平行六面体部分との間に十分な遊びがあり、前記導電素子が軸を中心に回転可能であるべきである。同様に、円形部分の場合には、軸と円筒部分との間に大きな量の遊びがあり、前記導電素子が行う現実の動きが、軸の周りの回転と、前記第１ゾーンと前記第２ゾーンとの間の進行との組み合わせになるようにすることができる。なお、これに加えて、前記第２止め具を電気回路に接続せずに、この場合には、１つの回路しか開閉できないが、前記導電素子が回転によって（あるいは回転と進行との組み合わせによって）動くリレーが得られる。
【００６６】
本発明の他の好適例は、リレーが前記第１ゾーンと前記導電素子との間に配置された第３及び第４接点を具えて、これらの第３及び第４接点が前記第２止め具を規定して、前記導電素子がこれらの第３及び第４接点に接触すると第２電気回路を閉じる際に得られる。実際に、この場合にはその代わりに、リレーが２つの電気回路を接続することができる。
【００６７】
前記第１ゾーン内及び前記第２ゾーン内の各々に配置されたコンデンサ板の組立体（アセンブリ）の各々が対称の中心について点対称であり、この対称の中心が前記導電素子の質量の中心（重心）に重なることが有利である。実際には、各ゾーン内に配置されたコンデンサ板の組立体の各々が前記導電素子上に力の場を生成する。この力の場から生じる力が前記導電素子の質量の中心に対する何らかのモーメントを有する場合には、前記導電素子は進行だけでなく、その質量の中心の周りの回転も行う。この関係では、この回転が有利でない場合には各ゾーンのコンデンサ板の組立体に点対称性を持たせることが適切であるか、あるいは他方では、例えば摩擦力及び／または付着を克服するために前記導電素子のその質量の中心の周りの回転を導入することが有利であれば、点対称性を与えることが好都合であり得る。
【００６８】
既に述べたように、前記導電素子は通常、前記第１ゾーン、前記第２ゾーン、及び前記横壁の間の中間的空間内に閉じこめられている。前記横壁と前記導電素子との間には、十分小さい遊びが存在して、前記導電素子が、前記第１接点及び前記第２接点が形成する接点群と前記第３接点及び前記第４接点が形成する接点群とに同時に接触することが幾何学的に防止されることが有利である。即ち、前記導電素子が、前記中間的空間を横切る位置を採り、前記第１電気回路を前記第２回路に接続することが防止される。
【００６９】
付着及び高い摩擦力を回避するために、前記導電素子が曲面の外表面を有することが有利であり、円筒形あるいは球形であることが好ましい。球形の解決法は、全方向の摩擦力及び付着を最小化するのに対し、円筒形の解決法は、前記第１及び第２ゾーンに面したこの円筒の底面により、前記コンデンサ板と対面する大きな表面を持ちつつ、前記横壁に対する摩擦力の低減を達成することを可能にし、これらのコンデンサ板は静電力の発生については有効である。この第２の解決法は、接点に対する接触面もより大きくして、切り換えた電気回路にもたらされる電気抵抗を減少させる。
【００７０】
同様に、前記導電素子が、その移動方向に直交する上面及び下面、及び少なくとも１つの横方向の面を有し、この横方向の面が小さい突起を有することが有利である。これらの突起はさらに、前記横方向の面と前記中間的空間の横壁との間の付着及び摩擦力の低減を可能にする。
【００７１】
前記導電素子は中空であることが有利である。このことは質量の低減を可能にし、従ってより小さい慣性を達成する。
【００７２】
リレーが２枚のコンデンサ板（第１板及び第２板）を有し、これらのコンデンサ板が共に前記第２ゾーン内にあれば、これらの第１コンデンサ板及び第２コンデンサ板が同じ表面積を有することが有利である、というのは、こうすれば、装置（デバイス）の同じ表面積に対して最小の作動電圧が得られるからである。
【００７３】
リレーが２枚のコンデンサ板（第１板及び第２板）を有し、第１板が前記第１ゾーン内にあり、第２板が前記第２ゾーン内にあれば、前記第１コンデンサ板の表面積が前記第２コンデンサ板の表面積の２倍であることが有利である、というのは、こうすれば、装置の同じ表面積に対して最小の作動電圧が得られるからである。
【００７４】
本発明によるリレーの他の好適例は、前記コンデンサ板の一方が、コンデンサ板であると同時に接点（従って止め具）である際に得られる。この構成は、他の接点（外部電気回路の接点）を固定電圧（通常はＶＣＣ（電源電圧）またはＧＮＤ（接地））に接続するか、あるいは高インピーダンスにしておくことを可能にする。
【００７５】
通常、リレーはコンデンサの板に印加される電圧によって開放され、閉じられる。しかし、これらの動きの一方を他の物理量によって行わせることができる。こうした場合には、この物理量は電気回路を開放する力を出し、コンデンサ板に印加される所定電圧によって力が発生し、この力は前記の力に対抗して、外部電気回路は再び閉じられる（あるいはその逆であり、即ち、電気回路を開放状態に維持するために電圧を印加する必要があり、検討したい物理量が回路を閉じようとする）。これらの物理量の例は加速、圧力、流れ、等とすることができる。
【００７６】
以下に見られるように、各図に示す本発明の好適な実施例は、前に説明したいくつかの代案及び選択肢の組合せを含むが、これらの代案及び選択肢は異なる方法で互いに組み合わせることができることは当業者にとって明らかである。
【００７７】
図８に、本発明によるリレーの第１の基本機能モードを示す。このリレーは中間的空間２５を規定し、この空間内に導電素子７が収容され、導電素子７は中間的空間２５内を自由に移動することができる、というのは、導電素子７は中間的空間２５を規定する壁面に物理的に接合されていない分離した部分であるからである。このリレーは、図８の左側の第１ゾーン、及び図８の右側の第２ゾーンも規定する。第２ゾーン内には第１コンデンサ板３及び第２コンデンサ板９が配置されている。図８に示す例では、コンデンサ板３と９とが異なる表面積を有するが、これらの表面積は互いに等しくすることもできる。第１コンデンサ板３及び第２コンデンサ板９は制御回路ＣＣに接続されている。第１コンデンサ板３と第２コンデンサ板９との間に電圧を印加すると、導電素子７は常に図８の右方向、即ちコンデンサ板３及び９に向かって誘引される。導電素子７は、第１止め具１３によって止められるまで右方向に移動し、第１止め具１３は第１外部回路ＣＥ1の第１接点１５及び第２接点１７であり、よって第１外部回路ＣＥ1が閉じられる。
【００７８】
図９に、本発明によるリレーの第２の基本機能モードを示す。ここでも、リレーが中間的空間２５を規定し、この空間内に導電素子７が収容され、導電素子７は中間的空間２５内、即ち図９の左側の第１ゾーンと図９の右側の第２ゾーンとの間を自由に移動することができる。第２ゾーン内には第２コンデンサ板９が配置され、第１ゾーン内には第１コンデンサ板３が配置されている。第１コンデンサ板３及び第２コンデンサ板９は制御回路ＣＣに接続されている。第１コンデンサ板３と第２コンデンサ板９との間に電圧を印加すると、導電素子７は常に図９の右方向に、最小のコンデンサ板、即ちコンデンサ板９に向かって誘引される。この理由により、この場合には、図９に示す例ではコンデンサ板３と９とが互いに異なる表面積を有するということが絶対に必要である、というのは、これらのコンデンサ板が等しい表面積を有するものとすれば、導電素子７はどちらの向きにも移動しないからである。導電素子７は、第１止め具１３によって止められるまで右向きに移動して、第１止め具１３は第１外部回路ＣＥ1の第１接点１５及び第２接点１７であり、よって第１外部回路ＣＥ1が閉じられる。図の左側には第２止め具１９が存在し、第２止め具１９はこの場合には電気的機能は何も果たさないが、導電素子７が第１コンデンサ板３に接触するのを止める。この場合には、導電素子７が第１コンデンサ板３に接触しても何の問題も生じないので、止め具１９をなくすことができる。このことは、この側には１枚のコンデンサ板のみが存在するが、２枚以上のコンデンサ板が存在してそれぞれが異なる電圧に接続されているものとすれば、短絡を避けるためにこれらの止め具が必要になる、という理由による。
【００７９】
図８及び図９のリレーはセンサとして使用するのに適しており、測定すべき量が力を出して、導電素子７にもたらされる静電力がこの力に対抗するが、導電素子７を動かすことのできる外力（加速、圧力、等）が存在する限り、これらはリレーとして使用することができる。図８及び図９に示す両方の場合において、測定すべき量が電気回路ＣＥ1を開放しようとする力を出さなければならず、上記静電力はこの回路を閉じようとする。しかし、リレーは、ちょうど逆の動作を行うように設計することができ、即ち、測定すべき量が電気回路を閉じようとし、静電力が回路を開放しようとする。この場合には、第１止め具１３を、対応する電気回路ＣＥ1と共に図８及び９の左側に配置する必要がある。図８には、この可能性を破線で示す。
【００８０】
静電力による導電素子７の両方向への移動を達成するために、図１０に示すように、第３コンデンサ板１１を設ける必要がある。導電素子７が常に、最小のコンデンサ板が位置する向きに移動するものとすれば、この場合には、第３コンデンサ板１１は第１コンデンサ板３より小さい必要があるが、第２コンデンサ板９と第３コンデンサ板１１との合計表面積は第１コンデンサ板３より大きい必要がある。このようにして、第１コンデンサ板３及び第２コンデンサ板９を活性化し、即ち、これらのコンデンサ板を異なる電圧に接続すると、これらのコンデンサ板は高インピーダンスの状態に留まり、導電素子７は右方向に移動することができるが、３枚のコンデンサ板を活性化すれば、導電素子７は左方向に移動することができる。後者の場合には、第２コンデンサ板９及び第３コンデンサ板１１には同じ電圧を供給し、第１コンデンサ板３には異なる電圧を供給する。これに加えて、図１０のリレーは、第２止め具１９に接続された第２外部回路ＣＥ2を有し、これらの第２止め具１９は第３接点２１及び第４接点２３を規定する。
【００８１】
２枚のコンデンサ板を第１及び第２の各ゾーン内に配置するものとすれば、導電素子７の移動は次の２つの異なる方法に当てはめることができる：
【００８２】
−  同じゾーンの２枚のコンデンサ板間に電圧を印加して、これにより導電素子７がこれらのコンデンサ板に誘引される（図８の機能）：
【００８３】
−  一方のゾーンの１枚のコンデンサ板と他方のゾーンの１枚のコンデンサ板（あるいは両方のコンデンサ板）との間に電圧を印加して、これにより、導電素子７が、ゾーン内の充電されたコンデンサの表面積が最小であるゾーン方向に誘引される（図９の機能）。
【００８４】
図１１及び１２に、ＥＦＡＢ（Electronic FABlication）技術で製造すべく設計したリレーを示す。この層堆積によるマイクロメカニズム（微小機構）製造技術は当業者にとって既知であり、いくつかの層の生産を可能にし、そして三次元構造の設計に大きな融通性を与える。リレーは支持体として作用する基板１上に実装され、以下のいくつかの図面には簡単のため基板１を示していない。このリレーは、（図１２では）導電素子７の左側に配置された第１コンデンサ板３及び第４コンデンサ板５を有し、導電素子７の右側に配置された第２コンデンサ板９及び第３コンデンサ板１１を有する。このリレーは、第１接点１５及び第２接点１７である２つの第１止め具１３、及び第３接点２１及び第４接点２３である２つの第２止め具１９も具えている。このリレーは上部をカバーで覆われているが、内部の詳細を明確に示すために、このカバーは図示していない。
【００８５】
このリレーは、図１２で見れば中間的空間２５内を左から右へ、及びその逆に動く。図に見られるように、第１止め具１３及び第２止め具１９は、コンデンサ板３、５、９及び１１よりも導電素子７に近い。このようにして、導電素子７が左から右に移動して、コンデンサ板３、５、９及び１１及びこれらに対応する制御回路に衝突することなしに、対応する電気回路を閉じることができる。
【００８６】
導電素子７は中空の内部空間２７を有する。
【００８７】
導電素子７と壁面との間には遊びが存在して、中間的空間２５を形成し（即ち、第１止め具１３、第２止め具１９、コンデンサ板３、５、９及び１１、及び２つの横壁２９）、中間的空間２５は、導電素子７が、第１接点１５を第３接点２１に接触させるか、あるいは第２接点１７を第４接点２３に接触させるのに十分なほど図１２の面に直交する軸の周りに回転することを防止するように十分小さい。しかし図では、この遊びはより明確にするために一定寸法比で示していない。
【００８８】
図１３〜１５に、ＥＦＡＢ技術で製造すべく設計した他のリレーを示す。この場合には、導電素子７が図１３〜１５の縦方向に移動する。リレーにおける二者択一の移動の一方または他方の使用は設計基準に依存する。製造技術はいくつかの層の堆積から成る。すべての図において縦の寸法を誇張しており、即ち、物理的な装置（デバイス）は図に示すよりずっと平坦である。より大きいコンデンサ面を得ようとすれば、図１３〜１５に示す形態に似た形態を有するリレーを構成する（縦型リレー）ことが好ましいが、より少数のリレーが望ましければ、図１１及び１２に示す形態に似た形態を有するリレー（横型リレー）がより適切である。特定の技術（例えばpolyMUMPS、Dalsa、SUMMIT、Tronic’s、Qinetiq’s、等）を用いれば、層の数が常に限定される。縦型リレーの利点は、より小さいチップ面積でより大きい表面が得られることであり、このことは、（同じチップ面積を用いれば）作動電圧がずっと低いことを暗に意味する。
【００８９】
概念的には、図１３〜１５のリレーは図１１及び１２のリレーと非常に似ており、（図１５の）下部に配置された第１コンデンサ板３及び第４コンデンサ板５、並びに第３接点２１及び第４接点２３である第２止め具を有する。図に見られるように、第２止め具１９はコンデンサ板の上にあり、これにより導電素子７が第２止め具１９上に載り、第１及び第４コンデンサ板３、５に接触しないようにすることができる。（図１３の）上端には、第２コンデンサ板９、第３コンデンサ板１１、及び第３接点１５及び第２接点１７である２つの第１止め具１３がある。この場合には、導電素子７と横壁２９との間の遊びも、第１接点１５を第３接点２１に接触させるか、あるいは第２接点１７を第４接点２３に接触させることが回避されるように十分小さい。
【００９０】
図１６及び１７に示すリレーは、導電素子７の移動が実質的にその端部を中心とした回転であるリレーの例である。このリレーは、第１コンデンサ板３、第２コンデンサ板９、第３コンデンサ板１１、及び第４コンデンサ板５を有し、これらのすべてが基板１上に実装されている。これに加えて、第１接点１５と第３接点２１とが互いに対面して存在する。第１接点１５と第３接点２１との間の距離は、上記コンデンサ板間の距離より小さい。導電素子７は中空の円筒部分３１を有し、この中空の穴も同様に円筒形である。この円筒形の穴の内部に、円筒部分を有する第２接点１７が収容されている。
【００９１】
図１６及び１７に示すリレーは、導電素子７の移動が実質的にその端部を中心とした回転であるリレーの例である。このリレーは、第１コンデンサ板３、第２コンデンサ板９、第３コンデンサ板１１、及び第４コンデンサ板５を有し、これらのすべてが基板１上に実装されている。これに加えて、第１接点１５と第３接点２１とが互いに対面して存在する。第１接点１５と第３接点２１との間の距離は、上記コンデンサ板間の距離より小さい。導電素子７は中空の円筒部分３１を有し、この中空の穴も同様に円筒形である。この円筒形の穴の内部に、円筒部分を有する第２接点１７が収容されている。
【００９２】
このようにして、導電素子７が第１接点１５と第４接点２３との接触、あるいは第３接点２１と第２接点１７との間の接触を確立する。導電素子７が行う移動は実質的に、円筒部分３１が規定する軸の周りの回転である。図１６では、第２接点１７と円筒部分３１との間の遊びを誇張しているが、特定量の遊びが存在することは確かであり、従って導電素子７が行う移動は純然たる回転ではなく、現実には回転と進行との組合せである。
【００９３】
円筒部分３１からは平坦部分３３が延び、平坦部分３３は、円筒部分３１の軸方向に測れば円筒部分３１より低い高さを有する。図１７ではこのことをより詳しく見ることができ、図１７には、円筒部分３１及び平坦部分３３をほとんど横から見た図を示す。このようにして、平坦部分３３が基板１に接触することが回避され、これにより摩擦力及び付着が低減される。
【００９４】
図に見られるように、円筒部分３１を平行六面体部分で代替して、円形部分を有する第２接点１７を四角形部分を有するものに置き換えても、遊びが十分である限りは、概念的に図１６及び１７のものと等価なリレーを設計することができる。
【００９５】
例えば、図１６及び１７に示すリレーにおいて第１接点１５及び／または第３接点２１をなくした場合には、コンデンサ板そのもの（特に第３コンデンサ板１１及び第４コンデンサ板５）が接点及び止め具として働く。コンデンサ板が動作しなければならない電圧の適切な選定によれば、この電圧は常にＶＣＣ（電源電圧）またはＧＮＤ（接地）ということになる。他の可能性は、例えば、第３接点２１をどの外部回路にも電気的に接続しない、ということである。従って、第３接点２１は止め具に過ぎず、導電素子７が第２接点１７を第３接点２１に接触させると、第２接点１７が回路内で高インピーダンスの状態になる。
【００９６】
図１８に示すリレーは、polyMUMPS技術で製造すべく設計したものである。既に説明したように、この技術は当業者にとって既知であり、そして３つの構造層及び２つの犠牲層によって特徴付けられる。しかし、概念的には、このリレーは図１６及び１７に示すリレーに似ているが、いくらかの違いがある。従って、図１８のリレーでは、第１コンデンサ板３は第３コンデンサ板３と等しいが、第２コンデンサ板９及び第４コンデンサ板５とは異なり、これらのコンデンサ板は互いに等しく、かつ第１及び第３コンデンサ板より小さい。第２接点１７については、その上端に巻線を有して導電素子７が中間的空間２５内に保持されることを可能にする。図１６及び１７の第２接点１７にもこの種の巻線を設けることができる。このリレーでも、第１接点１５と第３接点２１との間の距離をコンデンサ板間の距離に等しくする意味はない。導電素子７の移動が第２接点１７の周りの回転移動であるものとすれば、導電素子７の他端が弧を描いて、平坦部分３３がコンデンサ板に触れる前に、この他端が第１または第３接点１５、２１に接触する。
【００９７】
図１９に、polyMUMPS技術で製造すべく設計した他のリレーを示す。このリレーは図１１及び１２のリレーに似ているが、追加的に、第５コンデンサ板３５及び第６コンデンサ板３７を有する。
【００９８】
図２０に、図１１及び１２に示すものと等価なリレーを示すが、このリレーは第１ゾーン内の６枚のコンデンサ板及び第２ゾーン内の６枚のコンデンサ板を有する。これに加えて、導電素子７が外に出ることを回避する上部カバーがある。
【００９９】
図２１及び２２に、導電素子７が円筒形であるリレーを示す。図２１のリレーでは、導電素子７を包囲する横壁２９が平行六面体であるのに対し、図２２のリレーでは、導電素子７を包囲する横壁２９が円筒形であり、円形の断面を有する。図２３については、表面マイクロマシニングによって製造した球形を示し、なお、この球形は径の異なる複数の円形ダイスによって形成したものである。図２３のもののような球形の導電素子７を有するリレーは、概念的には例えば図２１または２２に示すものと非常に似ており、その円筒形の導電素子７を球形のものに置き換えたものである。しかし、球形の導電素子７が最初に接点、または場合によっては止め具ではなくコンデンサ板に触れることを回避するために、上端におけるコンデンサ板及び接点の配置における特定の幾何学的調整を考慮に入れるべきである。
【０１００】
図２４に、図１０及び１１に示すリレーの変形例を示す。この場合には、導電素子７が横方向の面４１内に突起３９を有する。
【０１０１】
本発明によるミニチュアリレーを用いた通常オフ状態及び通常オン状態のリレーは、下記の異なる好適な具体例が可能である：
【０１０２】
−  通常オフ状態のリレーが本発明によるミニチュアリレーの１つによって形成され、その導電素子が、その重量を補償するのに十分高い接触エネルギーを有する材料で形成される。実際には、このようにして、リレーは常に、最後に位置した位置にある。上記レギュレータ回路は電源故障（パワーフェイル）検出モジュールを具えることが勧められ、このことは、製品が完全にオフ状態になる前にこれらのリレーを対応する位置におく、ということのみ考えに入れなければならない。上記接触エネルギーは、衝撃、振動、及び製品使用中に予見される他の加速に耐えるにも十分高いことが好ましい。
−  通常オフ状態のリレーが本発明によるミニチュアリレーを２つ直列接続して構成され、第１ミニチュアリレーは、空間内を第１方向に沿って移動するのに適した第１導電素子を有し、第２ミニチュアリレーは、第１方向に直交する軸線を中心として第１リレーに対して１８０°回転され、これにより、両方のミニチュアリレーの２つの導電素子は同方向に移動するのに適しているが、互いに逆向きに移動して同じ接続状態及び非接続状態に達しなければならない。このようにして、一方のリレーが閉じた場合に、同じ側に導電素子を有する他方のリレーは開放されることが保証される。これら２つのリレーを直列に接続することによって、アセンブリ（組立体）は通常オフ状態のリレーとして動作することが保証される。図２５に、この種の通常オフ状態のリレーの回路図を示す。
−  前の概念の変形例は、第１の通常オフ状態のリレーと同じ第２の通常オフ状態のリレーを追加することから成るが、この第２のリレーは、その導電素子が上記第１方向に直交する第２方向に沿って移動するように空間内に配置され、さらに前者のリレーと同じ第３の通常オフ状態のリレーを追加することもできるが、この第３のリレーは、その導電素子が上記第１方向及び第２方向に直交する第３方向に沿って移動するように空間内に配置される。このようにして、三次元環境で動作するのに適した通常オフ状態のリレーが得られる。
−  前の通常オフ状態のリレーと同じ思想で、通常オン状態のリレーを設計することができる。この目的のために、通常オン状態のリレーは本発明によるミニチュアリレー２つで構成され、この場合には並列に接続され、第１ミニチュアリレーは、第１方向に沿って空間内を移動するのに適した第１導電素子を有し、第２ミニチュアリレーは、第１方向に直交する軸線を中心として第１リレーに対して１８０°回転され、これにより、両方のミニチュアリレーの２つの導電素子は同方向に移動するのに適しているが、互いに逆向きに移動して同じ接続状態及び非接続状態に達しなければならない。この場合には、これら２つのリレーを並列に接続することによって、少なくとも一方が接続されることが保証され、これによりアセンブリは通常オフ状態のリレーとして動作する。
−  またこの場合には、第１の通常オン状態のリレーと同じ第２の通常オン状態のリレーを追加することができるが、この第２のリレーは、その導電素子が上記第１方向に直交する第２方向に沿って移動するように空間内に配置され、さらに前者のリレーと同じ第３の通常オフ状態のリレーを追加することもできるが、この第３のリレーは、その導電素子が上記第１方向及び第２方向に直交する第３方向に沿って移動するように空間内に配置される。このようにして、三次元環境で動作するのに適した通常オフ状態のリレーが得られる。
【０１０３】
これらの通常オン状態及び通常オフ状態のミニチュアリレーは次のように組み合わせることができる：
【０１０４】
−  ２つの直列のリレーによって形成される通常オフ状態のリレーを同じ向きに組み合わせて、種々の直列ミニチュアリレーを向き毎に存在させることができ、これにより、少なくとも１つの直列ミニチュアリレーが開放状態であることが保証される。
−  同様に、通常オン状態のリレーを同じ向きに組み合わせて、種々の並列リレーを向き毎に存在させることができ、これにより、少なくとも１つの並列リレーが閉じていることが保証される。
−  いずれにせよ、空間内に配向されたミニチュアリレーの思想は、高い接触エネルギーを有する材料で作製されたミニチュアリレーの思想と組み合わせることができる。
【０１０５】
本発明の主題は、これらの通常オフ状態のリレー及び通常オン状態のリレーの両方であり、こうしたものとして、通常オフ状態及び／または通常オン状態のリレーを具えた上述レギュレータ回路がある。
【図面の簡単な説明】
【０１０６】
【図１】図１．１及び１．２はそれぞれ、直列及び並列接続されたコンデンサから成るバッテリを示す図である。
【図２】図２．１及び２．２はそれぞれ、コンデンサの充電の監視及び制御回路を示す図である。
【図３】直列及び並列接続されたコンデンサから成るバッテリを示す図である。
【図４】図４．１〜４．５は、ディジタル電源モジュール及びその作動順序を示す図である。
【図５】セグメント化されたＡ／Ｄ変換器を示す図である。
【図６】図６．１〜６．４は、比較器モジュール及びその比較順序を示す図である。
【図７】Ｄ／Ａ変換器を示す図である。
【図８】２枚のコンデンサ板をその第２ゾーン内に有するリレーの略図である。
【図９】２枚のコンデンサ板をその各ゾーン内に１枚ずつ有するリレーの略図である。
【図１０】３枚のコンデンサ板を有するリレーの略図である。
【図１１】本発明によるリレーの第１実施例のカバーを外した透視図である。
【図１２】図１１のリレーの平面図である。
【図１３】本発明によるリレーの第２実施例の透視図である。
【図１４】図１３のリレーの、上端の構成要素を除いた透視図である。
【図１５】図１３のリレーの下部要素の透視図である。
【図１６】本発明によるリレーの第３実施例のカバーを外した透視図である。
【図１７】図１６のリレーの円筒部分の詳細な透視図である。
【図１８】本発明によるリレーの第４実施例の透視図である。
【図１９】本発明によるリレーの第５実施例の透視図である。
【図２０】本発明によるリレーの第６実施例の平面図である。
【図２１】本発明によるリレーの第７実施例の透視図である。
【図２２】本発明によるリレーの第８実施例の基板をなくして下から見た透視図である。
【図２３】表面マイクロマシニングによって生産した球形を示す図である。
【図２４】本発明によるリレーの第９実施例の透視図である。
【図２５】通常オフ状態のリレーを示す図である。
【図１．１】
2007538483.tif 000003
【図１．２】
2007538483.tif 000004
【図２．１】
2007538483.tif 000005
【図２．２】
2007538483.tif 000006
【図３】
2007538483.tif 000007
【図４．１】
2007538483.tif 000008
【図４．２】
2007538483.tif 000009
【図４．３】
2007538483.tif 000010
【図４．４】
2007538483.tif 000011
【図４．５】
2007538483.tif 000012
【図５】
2007538483.tif 000013
【図６．１】
2007538483.tif 000014
【図６．２】
2007538483.tif 000015
【図６．３】
2007538483.tif 000016
【図６．４】
2007538483.tif 000017
【図７】
2007538483.tif 000018
【図８】
2007538483.tif 000019
【図９】
2007538483.tif 000020
【図１０】
2007538483.tif 000021
【図１１】
2007538483.tif 000022
【図１２】
2007538483.tif 000023
【図１３】
2007538483.tif 000024
【図１４】
2007538483.tif 000025
【図１５】
2007538483.tif 000026
【図１６】
2007538483.tif 000027
【図１７】
2007538483.tif 000028
【図１８】
2007538483.tif 000029
【図１９】
2007538483.tif 000030
【図２０】
2007538483.tif 000031
【図２１】
2007538483.tif 000032
【図２２】
2007538483.tif 000033
【図２３】
2007538483.tif 000034
【図２４】
2007538483.tif 000035
【図２５】
2007538483.tif 000036
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路において、
前記相互接続はミニチュアリレーで構成され、前記ミニチュアリレーは、前記リアクタンスの直列接続を並列接続に切り換えること、及びその逆を可能にするレギュレータ回路。
【請求項２】
少なくとも２つのリアクタンスを有する少なくとも第２のリアクタンス群と、前記第２のリアクタンス群の前記リアクタンスを互いに接続するのに適し、かつ前記第２のリアクタンス群の前記リアクタンスの少なくとも１つを前記入力端子及び前記出力端子に接続するのに適した複数の相互接続とを具え、前記相互接続はミニチュアリレーで構成され、前記ミニチュアリレーは、前記第２のリアクタンス群の前記リアクタンスの直列接続を並列接続に切り換えること、及びその逆を可能にすることを特徴とする請求項１に記載の回路。
【請求項３】
前記リアクタンスがコイルであることを特徴とする請求項１または２に記載の回路。
【請求項４】
前記リアクタンスがコンデンサであることを特徴とする請求項１または２に記載の回路。
【請求項５】
集積回路内に集積されていることを特徴とする請求項１〜４のいずれかに記載の回路。
【請求項６】
前記コンデンサの少なくとも１つの電圧監視手段であって、前記コンデンサの時間的な電圧変化を検出するのに適した電圧監視手段と、前記コンデンサの電圧が所定値に達すると前記コンデンサを前記入力端子から切り離すのに適した制御手段とを具えていることを特徴とする請求項４または５に記載の回路。
【請求項７】
前記レギュレータ回路内に含まれるディジタル回路に給電するために必要な電圧を発生するディジタル電源モジュールを有し、該電源モジュールは、通常オン状態の安全リレーである第１リレーをその第１電力入力端子に有する第１電源と、通常オフ状態の安全リレーである第２リレーをその給電入力端子に有する第２電源とを具え、前記第２リレーは、前記第１電源が発生する電圧によって閉じることを特徴とする請求項１〜６のいずれかに記載の回路。
【請求項８】
前記第２電源が、少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路を具え、前記相互接続はミニチュアリレーで構成され、前記ミニチュアリレーは、前記リアクタンスの直列接続を並列接続に切り換えること、及びその逆を可能にすることを特徴とする請求項７に記載の回路。
【請求項９】
前記レギュレータ回路がオフ状態になった際に前記リアクタンスにもたらされる過負荷を回避する通常オフ状態のリレーを具えた入力保護モジュールを有することを特徴とする請求項１〜８のいずれかに記載の回路。
【請求項１０】
前記入力端子に接続される入力信号を整流する整流モジュールを具えていることを特徴とする請求項１〜９のいずれかに記載の回路。
【請求項１１】
前記整流モジュールが、前記入力端子の極性を、前記入力端子に接続される交番信号に応じて動的に反転させるのに適したミニチュアリレーを具えていることを特徴とする請求項１０に記載の回路。
【請求項１２】
前記入力端子における信号を前記出力端子における信号と比較して、制御信号を信号調整モジュールに送信する基準信号モジュールを具えていることを特徴とする請求項１〜１１のいずれかに記載の回路。
【請求項１３】
出力コンデンサを有する出力フィルタを具えた出力モジュールを有することを特徴とする請求項１〜１２のいずれかに記載の回路。
【請求項１４】
通常オフ状態の安全リレーを有する出力保護モジュールを具えて、出力における過負荷の場合に前記安全リレーが開放されて、前記レギュレータ回路を前記出力端子から切り離すことを特徴とする請求項１〜１３のいずれかに記載の回路。
【請求項１５】
前記出力端子に接続されたＡ／Ｄ変換器を具えていることを特徴とする請求項１〜１４のいずれかに記載の回路。
【請求項１６】
前記Ａ／Ｄ変換器はセグメント化された変換器で構成され、前記セグメント化された変換器は、[a]Ｇ個のインピーダンスを有する第１分圧器と、前記出力端子と前記分圧器との間に接続されたＧ個の比較器装置と、[ｂ]第２のＡ／Ｄ変換器とを具え、前記比較器装置の各々が、Ｇ個のインピーダンスを有する第２分圧器と比較器とを具えていることを特徴とする請求項１５に記載の回路。
【請求項１７】
前記入力端子に接続されたＡ／Ｄ変換器を具えていることを特徴とする請求項１〜１６のいずれかに記載の回路。
【請求項１８】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えた第２レギュレータ回路を具え、前記相互接続はミニチュアリレーで構成され、前記ミニチュアリレーは、前記リアクタンスの直列接続を並列接続に切り換えること、及びその逆を可能にし、前記第２レギュレータ回路は前記レギュレータ回路の前記出力端子に接続されていることを特徴とする請求項１７に記載の回路。
【請求項１９】
出力バッファを具えていることを特徴とする請求項１７または１８に記載の回路。
【請求項２０】
トラック・アンド・ホールド増幅器を具えていることを特徴とする請求項１７〜１９のいずれかに記載の回路。
【請求項２１】
前記ミニチュアリレーが：
第２ゾーンに対面する第１ゾーンと；
第１コンデンサ板（３）と；
前記第２ゾーン内に配置され、前記第１コンデンサ板より小さいか前記第１コンデンサ板と等しい第２コンデンサ板（９）と；
前記第１ゾーンと前記第２ゾーンとの間に設けられた中間的空間（２５）と；
前記中間的空間（２５）内に配置され、前記第１ゾーン及び前記第２ゾーンから機械的に独立し、前記第１及び第２コンデンサ板に存在する電圧に応じて前記中間的空間（２５）を横切る移動を実行するのに適した導電素子（７）と；
電気回路の第１接点（１５）と、前記電気回路の第２接点（１７）とを具え、前記第１及び前記第２接点は第１止め具（１３）を規定し、前記導電素子（７）は前記第１止め具（１３）と接触するのに適し、前記導電素子（７）は、前記第１止め具（１３）と接触している際に前記電気回路を閉路する
ことを特徴とする請求項１〜２０のいずれかに記載の回路。
【請求項２２】
前記第１接点（１５）が、前記第２ゾーンと前記導電素子（７）との間にあることを特徴とする請求項２１に記載の回路。
【請求項２３】
前記第１コンデンサ板が前記第２ゾーン内にあることを特徴とする請求項２１または２２に記載の回路。
【請求項２４】
前記第１コンデンサ板が前記第１ゾーン内にあることを特徴とする請求項２１または２２に記載の回路。
【請求項２５】
前記第２接点（１７）が前記第２ゾーン内にあることを特徴とする請求項２１〜２４のいずれかに記載の回路。
【請求項２６】
前記第２ゾーン内に配置された第３コンデンサ板（１１）を追加的に具え、前記第３コンデンサ板（１１）は前記第１コンデンサ板（３）より小さいか前記第１コンデンサ板と等しく、前記第２コンデンサ板と前記第３コンデンサ板とを合わせた大きさが前記第１コンデンサ板より大きいことを特徴とする請求項２４または２５に記載の回路。
【請求項２７】
前記第２ゾーン内に配置された第３コンデンサ板（１１）及び前記第１ゾーン内に配置された第４コンデンサ板（５）を追加的に具え、前記第１コンデンサ板（３）と前記第２コンデンサ板（９）とが互いに等しく、前記第３コンデンサ板（１１）と前記第４コンデンサ板（５）とが互いに等しいことを特徴とする請求項２４または２５に記載の回路。
【請求項２８】
前記第１、第２、第３及び第４コンデンサ板がすべて互いに等しいことを特徴とする請求項２７に記載の回路。
【請求項２９】
前記第１ゾーン内に配置された第５コンデンサ板（３５）及び前記第２ゾーン内に配置された第６コンデンサ板（３７）を追加的に具え、前記第５コンデンサ板（３５）と前記第６コンデンサ板（３７）とが互いに等しいことを特徴とする請求項２７または２８に記載の回路。
【請求項３０】
前記第１ゾーン内に配置された６枚のコンデンサ板と、前記第２ゾーン内に配置された６枚のコンデンサ板とを具えていることを特徴とする請求項２９に記載の回路。
【請求項３１】
前記第１ゾーンと前記導電素子（７）との間に第２止め具を具えていることを特徴とする請求項２１〜３０のいずれかに記載の回路。
【請求項３２】
前記第１ゾーンと前記導電素子（７）との間に配置された第３接点（２１）を具え、前記第３接点（２１）は第２止め具を規定して、前記導電素子（７）が、前記第２接点（１７）及び前記第３接点（２１）に接触している際に第２電気回路を閉路することを特徴とする請求項２１〜３１のいずれかに記載の回路。
【請求項３３】
前記導電素子（７）が、軸線を規定しラジアル方向に中空の円筒部分（３１）と、前記ラジアル方向に中空の円筒部分（３１）の１つの側部から突出し、かつ前記軸線方向に延びる平坦部分（３３）とを具え、前記円筒部分の内部に前記第２接点（１７）が収容され、前記平坦部分（３３）の前記軸線方向に測った高さが、前記円筒部分（３１）の前記軸線方向に測った高さ未満であることを特徴とする請求項３２に記載の回路。
【請求項３４】
前記導電素子（７）が、軸線を規定する中空の平行六面体部分と、前記中空の平行六面体部分の１つの側部から突出し、かつ前記軸線方向に延びる平坦部分（３３）とを具え、前記平行六面体部分の内部に前記第２接点（１７）が収容され、前記平坦部分（３１）の前記軸線方向に測った高さが、前記平行六面体部分の前記軸線方向に測った高さ未満であることを特徴とする請求項３２に記載の回路。
【請求項３５】
前記第１ゾーンと前記導電素子（７）との間に配置された第３接点（２１）及び第４接点（２３）を具え、前記第３接点（２１）及び前記第４接点（２３）が第２止め具（１９）を規定して、前記導電素子（７）が、前記第３接点（２１）及び前記第４接点（２３）と接触している際に第２電気回路を閉路することを特徴とする請求項２１〜３０のいずれかに記載の回路。
【請求項３６】
前記第１ゾーン内及び前記第２ゾーン内の各々に配置された前記コンデンサ板の組立体の各々が、対称の中心について点対称性を有し、前記対称の中心は前記導電素子（７）の質量の中心に重なることを特徴とする請求項２１〜３５のいずれかに記載の回路。
【請求項３７】
前記第１ゾーン内及び前記第２ゾーン内の各々に配置された前記コンデンサ板の組立体が点対称性を有さず、これにより、前記導電素子（７）の質量の中心に対する力のモーメントを発生することを特徴とする請求項２１〜３５のいずれかに記載の回路。
【請求項３８】
前記第１ゾーンと前記第２ゾーンとの間に２つの横壁（２９）が延在し、前記横壁（２９）と前記導電素子（７）との間に遊びが存在し、前記遊びは、前記導電素子（７）が、前記第１及び第２接点（１５、１７）によって形成される接点群と前記第３及び第４接点（２１、２３）によって形成される接点群とに同時に接触することが幾何学的に防止される程度に十分小さいことを特徴とする請求項３５〜３７のいずれかに記載の回路。
【請求項３９】
前記導電素子（７）が曲面の外表面を有することを特徴とする請求項２１〜３８のいずれかに記載の回路。
【請求項４０】
前記導電素子（７）が円筒形であることを特徴とする請求項３９に記載の回路。
【請求項４１】
前記導電素子（７）が球形であることを特徴とする請求項３９に記載の回路。
【請求項４２】
前記導電素子（７）が、上面及び下面と、少なくとも１つの横方向の面とを有し、前記上面及び下面は前記導電素子（７）の移動方向に直交し、前記横方向の面は小さい突起を有することを特徴とする請求項２１〜４０のいずれかに記載の回路。
【請求項４３】
前記導電素子（７）が中空であることを特徴とする請求項２１〜４２のいずれかに記載の回路。
【請求項４４】
前記第１コンデンサ板（３）と前記第２コンデンサ板（９）とが同じ表面積を有することを特徴とする請求項２３に記載の回路。
【請求項４５】
前記第１コンデンサ板（３）の表面積が、前記第２コンデンサ板（９）の表面積に等しいか、前記第２コンデンサ板の表面積の２倍であることを特徴とする請求項２４に記載の回路。
【請求項４６】
前記コンデンサ板（３、５、９、１１、３５、３７）のうちの１つが、同時に、前記接点（１５、１７、２１、２３）のうちの１つであることを特徴とする請求項２１〜４５のいずれかに記載の回路。
【請求項４７】
前記ミニチュアリレーの１つによって形成される通常オフ状態のリレーを具え、該リレーの前記導電素子（７）は、その重量を補償するのに十分高い接触エネルギーを有する材料で形成されることを特徴とする請求項２１〜４６のいずれかに記載の回路。
【請求項４８】
前記ミニチュアリレーの１つによって形成される通常オン状態のリレーを具え、該リレーの前記導電素子（７）は、その重量を補償するのに十分高い接触エネルギーを有する材料で形成されることを特徴とする請求項２１〜４７のいずれかに記載の回路。
【請求項４９】
前記ミニチュアリレーの２つを直列接続して形成される通常オフ状態のリレーを具え、該リレーの第１のミニチュアリレーは、空間内を第１方向に移動するのに適した第１導電素子（７）を有し、前記リレーの第２のミニチュアリレーは、前記第１のミニチュアリレーに対して、前記第１方向に直交する軸線を中心として１８０°回転され、これにより、両方のミニチュアリレーの２つの前記導電素子（７）は同一方向の互いに逆向きに移動して、同じ接続状態または非接続状態を達成するのに適していることを特徴とする請求項２１〜４８のいずれかに記載の回路。
【請求項５０】
前記通常オフ状態のリレーと同じ第２の通常オフ状態のリレーが、当該リレーの前記導電素子（７）が前記第１方向に直交する第２方向に移動するように空間内に配置されていることを特徴とする請求項４９に記載の回路。
【請求項５１】
前記通常オフ状態のリレーと同じ第３の通常オフ状態のリレーが、当該リレーの前記導電素子（７）が前記第１方向及び前記第２方向に直交する第３方向に移動するように空間内に配置されていることを特徴とする請求項５０に記載の回路。
【請求項５２】
前記ミニチュアリレーの２つを並列接続して形成される通常オン状態のリレーを具え、該リレーの第１のミニチュアリレーは、空間内を第１方向に移動するのに適した第１導電素子（７）を有し、前記リレーの第２のミニチュアリレーは、前記第１のミニチュアリレーに対して、前記第１方向に直交する軸線を中心として１８０°回転され、これにより、両方のミニチュアリレーの２つの前記導電素子（７）は同一方向の互いに逆向きに移動して、同じ接続状態または非接続状態を達成するのに適していることを特徴とする請求項２１〜５１のいずれかに記載の回路。
【請求項５３】
前記通常オン状態のリレーと同じ第２の通常オフ状態のリレーが、当該リレーの前記導電素子（７）が前記第１方向に直交する第２方向に移動するように空間内に配置されていることを特徴とする請求項５２に記載の回路。
【請求項５４】
前記通常オン状態のリレーと同じ第３の通常オフ状態のリレーが、当該リレーの前記導電素子（７）が前記第１方向及び前記第２方向に直交する第３方向に移動するように空間内に配置されていることを特徴とする請求項５３に記載の回路。
【請求項５５】
請求項１〜５４のいずれかに記載の回路を用いて電源を製造するレギュレータ回路の使用法。
【請求項５６】
請求項１〜５４のいずれかに記載の回路を用いて、ＤＣ／ＤＣコンバータ、ＡＣ／ＤＣコンバータ、及びＤＣ／ＡＣコンバータによって形成されるグループから選択したコンバータを製造するレギュレータ回路の使用法。
【請求項５７】
請求項１〜５４のいずれかに記載の回路を用いてＡ／Ｄ変換器を製造するレギュレータ回路の使用法。
【請求項５８】
請求項１〜５４のいずれかに記載の回路を用いてＤ／Ａ変換器を製造するレギュレータ回路の使用法。
【請求項５９】
請求項１〜５４のいずれかに記載の回路を用いて電力増幅器を製造するレギュレータ回路の使用法。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路であって、前記相互接続はミニチュアリレーで構成され、前記ミニチュアリレーは、前記リアクタンスの直列接続を並列接続に切り換えること、及びその逆を可能にするレギュレータ回路において、
前記レギュレータ回路がＡ／Ｄ変換器を具え、該Ａ／Ｄ変換器の信号入力端子は前記出力端子に接続され、前記Ａ／Ｄ変換器はセグメント化された変換器で構成され、前記セグメント化された変換器は、[a]Ｇ個のインピーダンスを有する第１分圧器と、前記出力端子と前記分圧器との間に接続されたＧ個の比較器装置と、[ｂ]第２のＡ／Ｄ変換器とを具え、前記比較器装置の各々が、Ｇ個のインピーダンスを有する第２分圧器と比較器とを具えていることを特徴とするレギュレータ回路。
【請求項２】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路であって、前記相互接続はミニチュアリレーで構成され、前記ミニチュアリレーは、前記リアクタンスの直列接続を並列接続に切り換えること、及びその逆を可能にするレギュレータ回路において、
前記レギュレータ回路がＤ／Ａ変換器を具え、該Ｄ／Ａ変換器の信号出力端子は前記入力端子に接続され、前記リアクタンスは独立して電源電圧（Ｖcc）、接地（ＧＮＤ）、または前記信号出力端子に接続可能であることを特徴とするレギュレータ回路。
【請求項３】
前記レギュレータ回路がＤ／Ａ変換器を具え、該Ｄ／Ａ変換器の信号出力端子は前記入力端子に接続され、前記リアクタンスは独立して電源電圧（Ｖcc）、接地（ＧＮＤ）、または前記信号出力端子に接続可能であることを特徴とする請求項１に記載の回路。
【請求項４】
少なくとも２つのリアクタンスを有する少なくとも第２のリアクタンス群と、前記第２のリアクタンス群の前記リアクタンスを互いに接続するのに適し、かつ前記第２リアクタンス群の前記リアクタンスの少なくとも１つを前記入力端子及び前記出力端子に接続するのに適した複数の相互接続とを具え、前記相互接続はミニチュアリレーで構成され、前記ミニチュアリレーは、前記第２のリアクタンス群の前記リアクタンスの直列接続を並列接続に切り換えること、及びその逆を可能にすることを特徴とする請求項１〜３のいずれかに記載の回路。
【請求項５】
前記リアクタンスがコイルであることを特徴とする請求項１〜４のいずれかに記載の回路。
【請求項６】
前記リアクタンスがコンデンサであることを特徴とする請求項１〜４のいずれかに記載の回路。
【請求項７】
集積回路内に集積されていることを特徴とする請求項１〜６のいずれかに記載の回路。
【請求項８】
前記コンデンサの少なくとも１つの電圧監視手段であって、前記コンデンサの時間的な電圧変化を検出するのに適した電圧監視手段と、前記コンデンサの電圧が所定値に達すると前記コンデンサを前記入力端子から切り離すのに適した制御手段とを具えていることを特徴とする請求項６または７に記載の回路。
【請求項９】
前記レギュレータ回路内に含まれるディジタル回路に給電するために必要な電圧を発生するディジタル電源モジュールを有し、該電源モジュールは、通常オン状態の安全リレーである第１リレーをその第１電力入力端子に有する第１電源と、通常オフ状態の安全リレーである第２リレーをその給電入力端子に有する第２電源とを具え、前記第２リレーは、前記第１電源が発生する電圧によって閉じることを特徴とする請求項１〜８のいずれかに記載の回路。
【請求項１０】
前記第２電源が、少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えたレギュレータ回路を具え、前記相互接続はミニチュアリレーで構成され、前記ミニチュアリレーは、前記リアクタンスの直列接続を並列接続に切り換えること、及びその逆を可能にすることを特徴とする請求項９に記載の回路。
【請求項１１】
前記レギュレータ回路がオフ状態になった際に前記リアクタンスにもたらされる過負荷を回避する通常オフ状態のリレーを具えた入力保護モジュールを有することを特徴とする請求項１〜１０のいずれかに記載の回路。
【請求項１２】
前記入力端子に接続される入力信号を整流する整流モジュールを具えていることを特徴とする請求項１〜１１のいずれかに記載の回路。
【請求項１３】
前記整流モジュールが、前記入力端子の極性を、前記入力端子に接続される交番信号に応じて動的に反転させるのに適したミニチュアリレーを具えていることを特徴とする請求項１２に記載の回路。
【請求項１４】
前記入力端子における信号を前記出力端子における信号と比較して、制御信号を信号調整モジュールに送信する基準信号モジュールを具えていることを特徴とする請求項１〜１３のいずれかに記載の回路。
【請求項１５】
出力コンデンサを有する出力フィルタを具えた出力モジュールを有することを特徴とする請求項１〜１４のいずれかに記載の回路。
【請求項１６】
通常オフ状態の安全リレーを有する出力保護モジュールを具えて、出力における過負荷の場合に前記安全リレーが開放されて、前記レギュレータ回路を前記出力端子から切り離すことを特徴とする請求項１〜１５のいずれかに記載の回路。
【請求項１７】
少なくとも２つの入力端子と、少なくとも２つのリアクタンスを有する少なくとも第１のリアクタンス群と、少なくとも２つの出力端子と、前記リアクタンスを互いに接続するのに適し、かつ前記リアクタンスの少なくとも１つを前記入力端子及び前記出力端子に接続するのに適した複数の相互接続とを具えた第２レギュレータ回路を具え、前記相互接続はミニチュアリレーで構成され、前記ミニチュアリレーは、前記リアクタンスの直列接続を並列接続に切り換えること、及びその逆を可能にし、前記第２レギュレータ回路は前記レギュレータ回路の前記出力端子に接続されていることを特徴とする請求項２〜１５のいずれかに記載の回路。
【請求項１８】
出力バッファを具えていることを特徴とする請求項２〜１７のいずれかに記載の回路。
【請求項１９】
トラック・アンド・ホールド増幅器を具えていることを特徴とする請求項２〜１８のいずれかに記載の回路。
【請求項２０】
前記ミニチュアリレーが：
第２ゾーンに対面する第１ゾーンと；
第１コンデンサ板（３）と；
前記第２ゾーン内に配置され、前記第１コンデンサ板より小さいか前記第１コンデンサ板と等しい第２コンデンサ板（９）と；
前記第１ゾーンと前記第２ゾーンとの間に設けられた中間的空間（２５）と；
前記中間的空間（２５）内に配置され、前記第１ゾーン及び前記第２ゾーンから機械的に独立し、前記第１及び第２コンデンサ板に存在する電圧に応じて前記中間的空間（２５）を横切る移動を実行するのに適した導電素子（７）と；
電気回路の第１接点（１５）と、前記電気回路の第２接点（１７）とを具え、前記第１及び前記第２接点は第１止め具（１３）を規定し、前記導電素子（７）は前記第１止め具（１３）と接触するのに適し、前記導電素子（７）は、前記第１止め具（１３）と接触している際に前記電気回路を閉路する
ことを特徴とする請求項１〜１９のいずれかに記載の回路。
【請求項２１】
前記第１接点（１５）が、前記第２ゾーンと前記導電素子（７）との間にあることを特徴とする請求項２０に記載の回路。
【請求項２２】
前記第１コンデンサ板が前記第２ゾーン内にあることを特徴とする請求項２０または２１に記載の回路。
【請求項２３】
前記第１コンデンサ板が前記第１ゾーン内にあることを特徴とする請求項２０または２１に記載の回路。
【請求項２４】
前記第２接点（１７）が前記第２ゾーン内にあることを特徴とする請求項２０〜２３のいずれかに記載の回路。
【請求項２５】
前記第２ゾーン内に配置された第３コンデンサ板（１１）を追加的に具え、前記第３コンデンサ板（１１）は前記第１コンデンサ板（３）より小さいか前記第１コンデンサ板と等しく、前記第２コンデンサ板と前記第３コンデンサ板とを合わせた大きさが前記第１コンデンサ板より大きいことを特徴とする請求項２３または２４に記載の回路。
【請求項２６】
前記第２ゾーン内に配置された第３コンデンサ板（１１）及び前記第１ゾーン内に配置された第４コンデンサ板（５）を追加的に具え、前記第１コンデンサ板（３）と前記第２コンデンサ板（９）とが互いに等しく、前記第３コンデンサ板（１１）と前記第４コンデンサ板（５）とが互いに等しいことを特徴とする請求項２３または２４に記載の回路。
【請求項２７】
前記第１、第２、第３及び第４コンデンサ板がすべて互いに等しいことを特徴とする請求項２６に記載の回路。
【請求項２８】
前記第１ゾーン内に配置された第５コンデンサ板（３５）及び前記第２ゾーン内に配置された第６コンデンサ板（３７）を追加的に具え、前記第５コンデンサ板（３５）と前記第６コンデンサ板（３７）とが互いに等しいことを特徴とする請求項２６または２７に記載の回路。
【請求項２９】
前記第１ゾーン内に配置された６枚のコンデンサ板と、前記第２ゾーン内に配置された６枚のコンデンサ板とを具えていることを特徴とする請求項２８に記載の回路。
【請求項３０】
前記第１ゾーンと前記導電素子（７）との間に第２止め具を具えていることを特徴とする請求項２０〜２９のいずれかに記載の回路。
【請求項３１】
前記第１ゾーンと前記導電素子（７）との間に配置された第３接点（２１）を具え、前記第３接点（２１）は第２止め具を規定して、前記導電素子（７）が、前記第２接点（１７）及び前記第３接点（２１）に接触している際に第２電気回路を閉路することを特徴とする請求項２０〜３０のいずれかに記載の回路。
【請求項３２】
前記導電素子（７）が、軸線を規定しラジアル方向に中空の円筒部分（３１）と、前記ラジアル方向に中空の円筒部分（３１）の１つの側部から突出し、かつ前記軸線方向に延びる平坦部分（３３）とを具え、前記円筒部分の内部に前記第２接点（１７）が収容され、前記平坦部分（３３）の前記軸線方向に測った高さが、前記円筒部分（３１）の前記軸線方向に測った高さ未満であることを特徴とする請求項３１に記載の回路。
【請求項３３】
前記導電素子（７）が、軸線を規定する中空の平行六面体部分と、前記中空の平行六面体部分の１つの側部から突出し、かつ前記軸線方向に延びる平坦部分（３３）とを具え、前記平行六面体部分の内部に前記第２接点（１７）が収容され、前記平坦部分（３３）の前記軸線方向に測った高さが、前記平行六面体部分の前記軸線方向に測った高さ未満であることを特徴とする請求項３１に記載の回路。
【請求項３４】
前記第１ゾーンと前記導電素子（７）との間に配置された第３接点（２１）及び第４接点（２３）を具え、前記第３接点（２１）及び前記第４接点（２３）が第２止め具（１９）を規定して、前記導電素子（７）が、前記第３接点（２１）及び前記第４接点（２３）と接触している際に第２電気回路を閉路することを特徴とする請求項２０〜２９のいずれかに記載の回路。
【請求項３５】
前記第１ゾーン内及び前記第２ゾーン内の各々に配置された前記コンデンサ板の組立体の各々が、対称の中心について点対称性を有し、前記対称の中心は前記導電素子（７）の質量の中心に重なることを特徴とする請求項２０〜３４のいずれかに記載の回路。
【請求項３６】
前記第１ゾーン内及び前記第２ゾーン内の各々に配置された前記コンデンサ板の組立体が点対称性を有さず、これにより、前記導電素子（７）の質量の中心に対する力のモーメントを発生することを特徴とする請求項２０〜３４のいずれかに記載の回路。
【請求項３７】
前記第１ゾーンと前記第２ゾーンとの間に２つの横壁（２９）が延在し、前記横壁（２９）と前記導電素子（７）との間に遊びが存在し、前記遊びは、前記導電素子（７）が、前記第１及び第２接点（１５、１７）によって形成される接点群と前記第３及び第４接点（２１、２３）によって形成される接点群とに同時に接触することが幾何学的に防止される程度に十分小さいことを特徴とする請求項３４〜３６のいずれかに記載の回路。
【請求項３８】
前記導電素子（７）が曲面の外表面を有することを特徴とする請求項２０〜３７のいずれかに記載の回路。
【請求項３９】
前記導電素子（７）が円筒形であることを特徴とする請求項３８に記載の回路。
【請求項４０】
前記導電素子（７）が球形であることを特徴とする請求項３８に記載の回路。
【請求項４１】
前記導電素子（７）が、上面及び下面と、少なくとも１つの横方向の面とを有し、前記上面及び下面は前記導電素子（７）の移動方向に直交し、前記横方向の面は小さい突起を有することを特徴とする請求項２０〜３９のいずれかに記載の回路。
【請求項４２】
前記導電素子（７）が中空であることを特徴とする請求項２０〜４１のいずれかに記載の回路。
【請求項４３】
前記第１コンデンサ板（３）と前記第２コンデンサ板（９）とが同じ表面積を有することを特徴とする請求項２２に記載の回路。
【請求項４４】
前記第１コンデンサ板（３）の表面積が、前記第２コンデンサ板（９）の表面積に等しいか、前記第２コンデンサ板の表面積の２倍であることを特徴とする請求項２３に記載の回路。
【請求項４５】
前記コンデンサ板（３、５、９、１１、３５、３７）のうちの１つが、同時に、前記接点（１５、１７、２１、２３）のうちの１つであることを特徴とする請求項２０〜４４のいずれかに記載の回路。
【請求項４６】
前記ミニチュアリレーの１つによって形成される通常オフ状態のリレーを具え、該リレーの前記導電素子（７）は、その重量を補償するのに十分高い接触エネルギーを有する材料で形成されることを特徴とする請求項２０〜４５のいずれかに記載の回路。
【請求項４７】
前記ミニチュアリレーの１つによって形成される通常オン状態のリレーを具え、該リレーの前記導電素子（７）は、その重量を補償するのに十分高い接触エネルギーを有する材料で形成されることを特徴とする請求項２０〜４６のいずれかに記載の回路。
【請求項４８】
前記ミニチュアリレーの２つを直列接続して形成される通常オフ状態のリレーを具え、該リレーの第１のミニチュアリレーは、空間内を第１方向に移動するのに適した第１導電素子（７）を有し、前記リレーの第２のミニチュアリレーは、前記第１のミニチュアリレーに対して、前記第１方向に直交する軸線を中心として１８０°回転され、これにより、両方のミニチュアリレーの２つの前記導電素子（７）は同一方向の互いに逆向きに移動して、同じ接続状態または非接続状態を達成するのに適していることを特徴とする請求項２０〜４７のいずれかに記載の回路。
【請求項４９】
前記通常オフ状態のリレーと同じ第２の通常オフ状態のリレーが、当該リレーの前記導電素子（７）が前記第１方向に直交する第２方向に移動するように空間内に配置されていることを特徴とする請求項４８に記載の回路。
【請求項５０】
前記通常オフ状態のリレーと同じ第３の通常オフ状態のリレーが、当該リレーの前記導電素子（７）が前記第１方向及び前記第２方向に直交する第３方向に移動するように空間内に配置されていることを特徴とする請求項４９に記載の回路。
【請求項５１】
前記ミニチュアリレーの２つを並列接続して形成される通常オン状態のリレーを具え、該リレーの第１のミニチュアリレーは、空間内を第１方向に移動するのに適した第１導電素子（７）を有し、前記リレーの第２のミニチュアリレーは、前記第１のミニチュアリレーに対して、前記第１方向に直交する軸線を中心として１８０°回転され、これにより、両方のミニチュアリレーの２つの前記導電素子（７）は同一方向の互いに逆向きに移動して、同じ接続状態または非接続状態を達成するのに適していることを特徴とする請求項２０〜５０のいずれかに記載の回路。
【請求項５２】
前記通常オン状態のリレーと同じ第２の通常オフ状態のリレーが、当該リレーの前記導電素子（７）が前記第１方向に直交する第２方向に移動するように空間内に配置されていることを特徴とする請求項５１に記載の回路。
【請求項５３】
前記通常オン状態のリレーと同じ第３の通常オフ状態のリレーが、当該リレーの前記導電素子（７）が前記第１方向及び前記第２方向に直交する第３方向に移動するように空間内に配置されていることを特徴とする請求項５２に記載の回路。
【請求項５４】
請求項１〜５３のいずれかに記載の回路を用いてＡ／Ｄ変換器を製造するレギュレータ回路の使用法。
【請求項５５】
請求項１〜５３のいずれかに記載の回路を用いてＤ／Ａ変換器を製造するレギュレータ回路の使用法。
【手続補正２】
【補正対象書類名】図面
【補正対象項目名】図１０
【補正方法】変更
【補正の内容】
【図１０】
2007538483.tif 000037
【国際調査報告】
2007538483.tif 000038
2007538483.tif 000039
2007538483.tif 000040
2007538483.tif 000041
2007538483.tif 000042
2007538483.tif 000043